(57)【特許請求の範囲】
【請求項１】
視覚的なデータを表示するディスプレイと、
複数の地域の統合された形で前記ディスプレイに１枚の地図を表わす上位の階層の地図データの１つ下の階層の地図データが前記複数の地域の１つずつについて更に複数の地域の統合された形となるように構成されており、最上位の階層の地図を頂点として階層が下になるほど細分化したツリー構造をとる地図データ集合体と、
この地図データ集合体の各階層で表わされる地図のいずれの地域に属するかを特定する位置情報を送信データの宛先と予め１つずつ対応させて格納したアドレス帳と、
前記地図データ集合体を構成する上位の階層の地図データから１階層ずつ下位の方向に地図データを順に選択して前記ディスプレイに地図を１枚ずつ表示するとき表示した１枚の地図を構成する複数の地域のいずれに送信データの宛先が含まれるかを選択させる地域選択手段と、
この地域選択手段によって選択した地域に対応する前記アドレス帳の宛先の総数を算出する宛先総数算出手段と、
この宛先総数算出手段によって算出した宛先の総数が前記ディスプレイの表示との関係で予め定めた設定値を超えているかを判別する設定値超過有無判別手段と、
この設定値超過有無判別手段が前記設定値を超えていないと判別したときその選択した地域とその地域に該当する宛先とを対応付けて前記ディスプレイに表示する設定値内表示手段と、
前記設定値超過有無判別手段が前記設定値を超えていると判別したとき、前記地域選択手段による地域を選択する処理とこれに続く処理を、前記設定値超過有無判別手段が設定値を超えていないと判別する階層に至るまで繰り返す繰り返し手段と、
この繰り返し手段によって前記ディスプレイに地域に対応して表示される宛先の総数が設定値を超えなくなったとき前記設定値内表示手段によって前記ディスプレイに表示された宛先に関するデータを基にして前記送信データの宛先を確定する宛先確定手段と、
この宛先確定手段によって確定した宛先に所望の送信データを送信する送信手段
とを具備することを特徴とする送信装置。
【請求項２】
視覚的なデータを表示するディスプレイと、
複数の地域の統合された形で前記ディスプレイに１枚の地図を表わす上位の階層の地図データの１つ下の階層の地図データが前記複数の地域の１つずつについて更に複数の地域の統合された形となるように構成されており、最上位の階層の地図を頂点として階層が下になるほど細分化したツリー構造をとる地図データ集合体と、
この地図データ集合体の各階層で表わされる地図のいずれの地域に属するかを特定する位置情報を送信データの宛先と予め１つずつ対応させて格納したアドレス帳と、
前記地図データ集合体を構成する上位の階層の地図データから１階層ずつ下位の方向に地図データを順に選択して前記ディスプレイに地図を１枚ずつ表示するとき表示した１枚の地図を構成する複数の地域のそれぞれに対応する前記アドレス帳の宛先の総数を算出する地域別宛先総数算出手段と、
この地域別宛先総数算出手段によって算出された地域ごとの前記アドレス帳の宛先の総数が前記ディスプレイの表示との関係で予め定めた設定値を超えているかを判別する地域別設定値超過有無判別手段と、
この地域別設定値超過有無判別手段で前記設定値を超えていないと判別した地域のそれぞれについては、地域と地域に該当する宛先とを対応付けて前記ディスプレイに表示する設定値内地域表示手段と、
前記地域別設定値超過有無判別手段で前記設定値を超えていると判別した地域のそれぞれについては、地域と地域に該当する宛先の総数が設定値を超えていることを対応付けて前記ディスプレイに表示する設定値外地域表示手段と、
前記設定値内地域表示手段と設定値外地域表示手段の表示したそれぞれの地域を統合する形で１枚の地図が前記ディスプレイに表示されている状態でいずれの１つの地域に送信データの宛先が含まれるかを選択させる地域選択手段と、
この地域選択手段で選択した地域が前記設定値外地域表示手段によって表示されている地域であるとき、前記地域選択手段による地域を選択する処理とこれに続く処理を、前記地域別設定値超過有無判別手段が設定値を超えていないと判別する階層に至るまで繰り返す繰り返し手段と、
前記設定値内地域表示手段によって前記ディスプレイに表示された宛先に関するデータ、あるいは前記繰り返し手段によって前記ディスプレイに該当する地域に対応して表示される宛先の総数が設定値を超えなくなったとき前記設定値内地域表示手段によって前記ディスプレイに表示された宛先に関するデータを基にして前記送信データの宛先を確定する宛先確定手段と、
この宛先確定手段によって確定した宛先に所望の送信データを送信する送信手段
とを具備することを特徴とする送信装置。
【請求項３】
前記設定値外地域表示手段は、該当する宛先の総数が設定値を超えている地域にその宛先の総数を数字で表わしたアイコンを表示することを特徴とする請求項２記載の送信装置。
【請求項４】
前記宛先確定手段は、ディスプレイ上に表示された１つの宛先を選択する宛先選択手段と、この宛先選択手段の選択した宛先について前記アドレス帳に登録された付加情報を前記ディスプレイに表示して送信データの宛先を最終的に確認する付加データ表示手段とを具備することを特徴とする請求項１または請求項２記載の送信装置。
【請求項５】
前記付加情報は、宛先の氏名または名称、住所、電話番号、電子メールのアドレス、宛先を特定するイメージ情報の一部または全部を含むことを特徴とする請求項４記載の送信装置。
【請求項６】
建物の名称および階数から緯度、経度、高度あるいはその逆に変換する変換手段を具備することを特徴とする請求項５記載の送信装置。
【請求項７】
最上位の階層の地図を頂点として階層が下になるほど細分化したツリー構造をとる地図のデータの集合体としての地図データ集合体を構成する上位の階層の地図データから１階層ずつ下位の方向に地図データを順に選択してディスプレイに地図を１枚ずつ表示するとき、表示した１枚の地図を構成する複数の地域のいずれに送信データの宛先が含まれるかを選択させる地域選択ステップと、
各宛先に位置情報を対応付けたアドレス帳から前記地域選択ステップによって選択した地域に対応する宛先の総数を前記位置情報をキーとして算出する宛先総数算出ステップと、
この宛先総数算出ステップによって算出した宛先の総数が前記ディスプレイの表示との関係で予め定めた設定値を超えているかを判別する設定値超過有無判別ステップと、
この設定値超過有無判別ステップで前記設定値を超えていないと判別したときその選択した地域とその地域に該当する宛先とを対応付けて前記ディスプレイに表示する設定値内表示ステップと、
前記設定値超過有無判別ステップで前記設定値を超えていると判別したとき、前記地域選択ステップによる地域を選択する処理とこれに続く処理を、前記設定値超過有無判別ステップで設定値を超えていないと判別する階層に至るまで繰り返す繰り返しステップと、
この繰り返しステップによって前記ディスプレイに地域に対応して表示される宛先の総数が設定値を超えなくなったとき前記設定値内表示ステップによって前記ディスプレイに表示された宛先に関するデータを基にして前記送信データの宛先を確定する宛先確定ステップ
とを具備することを特徴とする宛先指定方法。
【請求項８】
最上位の階層の地図を頂点として階層が下になるほど細分化したツリー構造をとる地図のデータの集合体としての地図データ集合体を構成する上位の階層の地図データから１階層ずつ下位の方向に地図データを順に選択してディスプレイに地図を１枚ずつ表示するとき、表示した１枚の地図を構成する複数の地域のそれぞれに対応させて、各宛先に位置情報を対応付けたアドレス帳から前記位置情報をキーとしてそれぞれの宛先の総数を算出する地域別宛先総数算出ステップと、
この地域別宛先総数算出ステップによって算出された地域ごとの前記アドレス帳の宛先の総数が前記ディスプレイの表示との関係で予め定めた設定値を超えているかを判別する地域別設定値超過有無判別ステップと、
この地域別設定値超過有無判別ステップで前記設定値を超えていないと判別した地域のそれぞれについては、地域と地域に該当する宛先とを対応付けて前記ディスプレイに表示する設定値内地域表示ステップと、
前記地域別設定値超過有無判別ステップで前記設定値を超えていると判別した地域のそれぞれについては、地域と地域に該当する宛先の総数が設定値を超えていることを対応付けて前記ディスプレイに表示する設定値外地域表示ステップと、
前記設定値内地域表示ステップと設定値外地域表示ステップで表示したそれぞれの地域を統合する形で１枚の地図が前記ディスプレイに表示されている状態でいずれの１つの地域に送信データの宛先が含まれるかを選択させる地域選択ステップと、
この地域選択ステップで選択した地域が前記設定値外地域表示ステップによって表示されている地域であるとき、前記地域選択ステップによる地域を選択する処理とこれに続く処理を、前記地域別設定値超過有無判別ステップで設定値を超えていないと判別する階層に至るまで繰り返す繰り返しステップと、
前記設定値内地域表示ステップによって前記ディスプレイに表示された宛先に関するデータ、あるいは前記繰り返しステップによって前記ディスプレイに該当する地域に対応して表示される宛先の総数が設定値を超えなくなったとき前記設定値内地域表示ステップによって前記ディスプレイに表示された宛先に関するデータを基にして前記送信データの宛先を確定する宛先確定ステップ
とを具備することを特徴とする宛先指定方法。
【請求項９】
コンピュータに、
最上位の階層の地図を頂点として階層が下になるほど細分化したツリー構造をとる地図のデータの集合体としての地図データ集合体を構成する上位の階層の地図データから１階層ずつ下位の方向に地図データを順に選択してディスプレイに地図を１枚ずつ表示するとき、表示した１枚の地図を構成する複数の地域のいずれに送信データの宛先が含まれるかを選択させる地域選択処理と、
各宛先に位置情報を対応付けたアドレス帳から前記地域選択処理によって選択した地域に対応する宛先の総数を前記位置情報をキーとして算出する宛先総数算出処理と、
この宛先総数算出処理によって算出した宛先の総数が前記ディスプレイの表示との関係で予め定めた設定値を超えているかを判別する設定値超過有無判別処理と、
この設定値超過有無判別処理で前記設定値を超えていないと判別したときその選択した地域とその地域に該当する宛先とを対応付けて前記ディスプレイに表示する設定値内表示処理と、
前記設定値超過有無判別処理で前記設定値を超えていると判別したとき、前記地域選択処理による地域を選択する処理とこれに続く処理を、前記設定値超過有無判別処理で設定値を超えていないと判別する階層に至るまで繰り返す繰り返し処理と、
この繰り返し処理によって前記ディスプレイに地域に対応して表示される宛先の総数が設定値を超えなくなったとき前記設定値内表示処理によって前記ディスプレイに表示された宛先に関するデータを基にして前記送信データの宛先を確定する宛先確定処理
とを実行させることを特徴とする宛先指定プログラム。
【請求項１０】
コンピュータに、
最上位の階層の地図を頂点として階層が下になるほど細分化したツリー構造をとる地図のデータの集合体としての地図データ集合体を構成する上位の階層の地図データから１階層ずつ下位の方向に地図データを順に選択してディスプレイに地図を１枚ずつ表示するとき、表示した１枚の地図を構成する複数の地域のそれぞれに対応させて、各宛先に位置情報を対応付けたアドレス帳から前記位置情報をキーとしてそれぞれの宛先の総数を算出する地域別宛先総数算出処理と、
この地域別宛先総数算出処理によって算出された地域ごとの前記アドレス帳の宛先の総数が前記ディスプレイの表示との関係で予め定めた設定値を超えているかを判別する地域別設定値超過有無判別処理と、
この地域別設定値超過有無判別処理で前記設定値を超えていないと判別した地域のそれぞれについては、地域と地域に該当する宛先とを対応付けて前記ディスプレイに表示する設定値内地域表示処理と、
前記地域別設定値超過有無判別処理で前記設定値を超えていると判別した地域のそれぞれについては、地域と地域に該当する宛先の総数が設定値を超えていることを対応付けて前記ディスプレイに表示する設定値外地域表示処理と、
前記設定値内地域表示処理と設定値外地域表示処理で表示したそれぞれの地域を統合する形で１枚の地図が前記ディスプレイに表示されている状態でいずれの１つの地域に送信データの宛先が含まれるかを選択させる地域選択処理と、
この地域選択処理で選択した地域が前記設定値外地域表示処理によって表示されている地域であるとき、前記地域選択処理による地域を選択する処理とこれに続く処理を、前記地域別設定値超過有無判別処理で設定値を超えていないと判別する階層に至るまで繰り返す繰り返し処理と、
前記設定値内地域表示処理によって前記ディスプレイに表示された宛先に関するデータ、あるいは前記繰り返し処理によって前記ディスプレイに該当する地域に対応して表示される宛先の総数が設定値を超えなくなったとき前記設定値内地域表示処理によって前記ディスプレイに表示された宛先に関するデータを基にして前記送信データの宛先を確定する宛先確定処理
とを実行させることを特徴とする宛先指定プログラム。
【発明の詳細な説明】
【技術分野】
【０００１】
本発明は、送信装置、宛先指定方法、宛先指定プログラムに係わり、特にデータを個々の宛先に送信する際の宛先の指定についての便宜を図った送信装置、宛先指定方法および宛先指定プログラムに関する。
【背景技術】
【０００２】
送信装置は、ブロードキャスト通信や放送局の電波の送信のような宛先を特定しない通信を除くと、宛先を具体的に指定してデータの送信を行うようになっている。たとえば送信装置がファクシミリ装置の場合、宛先を電話番号で特定するようになっている。インターネットを利用したファクシミリ装置の登場により、メールアドレスを持つ端末に対してもファクシミリ画像の送信が可能になっている。ファクシミリ装置としての機能にコピー機としての機能やプリンタとしての機能を持たせたネットワーク複合機も送信データの宛先を電話番号だけでなくメールアドレスで特定する場合もある。
【０００３】
ファクシミリ装置およびネットワーク複合機を例として取り上げたが、送信装置の機能が追加されたり機能の複合化が図られると、送信する宛先の種類が増加して、これに伴い宛先自体の登録件数が増加する傾向にある。この結果、これらの装置のユーザはデータの送信を行う際に目的の宛先を見つけだすことが大きな負担となることが多い。携帯電話機のユーザも、アドレス帳に数多くの電話番号やメールアドレスを登録している場合には、所望の宛先を見つけ出すのに苦労する場合がある。
【０００４】
そこで、宛先の数が多い場合にも所望の宛先を比較的簡単に見つけ出す手法が従来から考案されている。その代表的なものが、宛先を幾つかの区分あるいはカテゴリに分類しておく手法である。宛先の人物の名前あるいは会社名を、「あ」行、「か」行といった名前の先頭の読みで分類したり、職業別あるいは業種別に分類するのが一例である。
【０００５】
しかしながら、区分あるいはカテゴリに分類する手法を採用すると、ユーザが個々の人物あるいは会社をどのように分類したかを正確に把握していないと宛先を絞り出すことができない。たとえば、ある会社をエコロジーの技術を開発する会社として分類するか、大型機械の製造会社として分類するかで、検索結果が異なってくる。そこで、宛先に関する幾種類かの情報を並列的に表示することが本発明の関連技術として提案されている（たとえば特許文献１参照）。
【０００６】
図２７は、この関連技術に基づくファクシミリ送信装置の送信指示が行われる際の表示画面の一例を表わしたものである。データ通信装置の操作表示装置１０１には、送信を行う際の宛先のファクシミリ番号を表示する電話番号表示部１０２と、その宛先の位置する地図情報を表示する地図情報表示部１０３と、宛先の属性を表示する属性表示部１０４の他に、メッセージ表示欄１０５と送信指示ボタン１０６が配置されている。
【０００７】
ここで電話番号表示部１０２には、宛先の電話番号をユーザが図示しないテンキーから入力するようになっている。地図情報表示部１０３には、送信先の位置を示す地図情報が宛先の電話番号に対応して図示しないデータベースから検索され表示されるようになっている。属性表示部１０４には、宛先となる者の顔写真である顔情報、送信先の所属する会社の名前や部署、あるいは住所、氏名、電話番号、郵便番号等の各種情報が表示されるようになっている。
【０００８】
また、メッセージ表示欄１０５は、ユーザの必要とする各種の情報を表示する欄であり、ファクシミリ通信を開始するときには「この送信先に送信しますか？」というような文章が表示されるようになっている。ユーザが送信指示ボタン１０６を押すと、電話番号表示部１０２に表示された宛先にファクシミリ通信が行われることになる。
【０００９】
この関連技術によれば、宛先の電話番号だけでなくその宛先に関する地図情報等の関連情報が幾つか表示される。したがって、宛先の電話番号や氏名等の名称の記憶が曖昧なような場合でも送信先を地図情報や写真等の各種情報のうちのいずれかによって確認することができる。この結果、所望の宛先に確実にデータの送信が可能になり、データの誤送信の防止を効果的に行うことができる。
【００１０】
特にこの関連技術では宛先に関する情報として操作表示装置１０１に地図情報を表示する。したがって、データの送信者が宛先の地理的な場所を知っている場合には、電話番号や個人名あるいは会社名で紛らわしい宛先が存在しても、これらの宛先の地図上の位置が大きく異なっていさえすれば地図による指定で宛先を間違いなく特定することができることになる。
【先行技術文献】
【特許文献】
【００１１】
【特許文献１】特開２００９−５３１４号公報（第００３５段落、第００５１段落、図４、図８）
【発明の概要】
【発明が解決しようとする課題】
【００１２】
しかしながら、従来のこのような関連技術では、たとえば大企業の関連会社としてその大企業の社名に類似した社名を有する企業がその大企業の本社ビルの周辺に幾つか住所を構えているような場合に、問題が発生する。たとえばＡＢＣエレクトロニクス株式会社とＡＢＣエンジニアリング株式会社とがＡＢＣ会社の存在する同じＤ市町村に存在していたとする。
【００１３】
ユーザがＡＢＣエレクトロニクス株式会社にデータを送信するつもりで間違えて、称呼上で類似するＡＢＣエンジニアリング株式会社を会社の一覧から送信先に選択したとする。この場合にその送信装置の図示しない表示部には、ＡＢＣエンジニアリング株式会社がＤ市町村に存在する旨の地図情報が表示される。ＡＢＣエレクトロニクス株式会社がＤ市町村に存在することを知っている送信装置のユーザは、Ｄ市町村が地図表示されることで、間違いに気付くどころか正しい宛先を選択したとの確信を持つに至ってしまうことが多い。
【００１４】
同様の間違いは同一の建物内でユーザが勘違いしやすい二人の人物が働いている場合にも発生する。たとえばある会社の本社ビルの１階に我妻（あずま、わがつま）さんの部署があって、３階に東（あずま、ひがし）さんの部署があったとする。支社で働くユーザが、アドレス帳の「あ」の行で検索して、本社ビルの１階の我妻さんにデータを送信するつもりを誤って３階の東さんを宛先に設定したとする。この場合にも、ユーザは確認のために本社ビルの地図表示が行われると、違う階に同音の他人がいるということを思い描かない限り、正しい選択を行ったとして直ちにデータの送信を行う可能性が大きい。すなわち、宛先を特定する補助情報としての地図情報が、特定の状況では却って宛先を間違える要因となってしまう。
【００１５】
そこで本発明の目的は、送信先となる紛らわしい複数の宛先が存在するときであっても、データの送信先をより正確に選択することのできる送信装置、宛先指定方法、宛先指定プログラムを提供することにある。
【００１６】
本発明の他の目的は、地図上で紛らわしい宛先が存在する場合には、これを確認してデータの送信を行ったり、宛先の最終確認を行うことのできる送信装置、宛先指定方法および宛先指定プログラムを提供することにある。
【課題を解決するための手段】
【００１７】
本発明では、（イ）視覚的なデータを表示するディスプレイと、（ロ）複数の地域の統合された形で前記したディスプレイに１枚の地図を表わす上位の階層の地図データの１つ下の階層の地図データが前記した複数の地域の１つずつについて更に複数の地域の統合された形となるように構成されており、最上位の階層の地図を頂点として階層が下になるほど細分化したツリー構造をとる地図データ集合体と、（ハ）この地図データ集合体の各階層で表わされる地図のいずれの地域に属するかを特定する位置情報を送信データの宛先と予め１つずつ対応させて格納したアドレス帳と、（ニ）前記した地図データ集合体を構成する上位の階層の地図データから１階層ずつ下位の方向に地図データを順に選択して前記したディスプレイに地図を１枚ずつ表示するとき表示した１枚の地図を構成する複数の地域のいずれに送信データの宛先が含まれるかを選択させる地域選択手段と、（ホ）この地域選択手段によって選択した地域に対応する前記したアドレス帳の宛先の総数を算出する宛先総数算出手段と、（へ）この宛先総数算出手段によって算出した宛先の総数が前記したディスプレイの表示との関係で予め定めた設定値を超えているかを判別する設定値超過有無判別手段と、（ト）この設定値超過有無判別手段が前記した設定値を超えていないと判別したときその選択した地域とその地域に該当する宛先とを対応付けて前記したディスプレイに表示する設定値内表示手段と、（チ）前記した設定値超過有無判別手段が前記した設定値を超えていると判別したとき、前記した地域選択手段による地域を選択する処理とこれに続く処理を、前記した設定値超過有無判別手段が設定値を超えていないと判別する階層に至るまで繰り返す繰り返し手段と、（リ）この繰り返し手段によって前記したディスプレイに地域に対応して表示される宛先の総数が設定値を超えなくなったとき前記した設定値内表示手段によって前記したディスプレイに表示された宛先に関するデータを基にして前記した送信データの宛先を確定する宛先確定手段と、（ヌ）この宛先確定手段によって確定した宛先に所望の送信データを送信する送信手段とを送信装置が具備する。
【００１８】
また、本発明では、（イ）視覚的なデータを表示するディスプレイと、（ロ）複数の地域の統合された形で前記したディスプレイに１枚の地図を表わす上位の階層の地図データの１つ下の階層の地図データが前記した複数の地域の１つずつについて更に複数の地域の統合された形となるように構成されており、最上位の階層の地図を頂点として階層が下になるほど細分化したツリー構造をとる地図データ集合体と、（ハ）この地図データ集合体の各階層で表わされる地図のいずれの地域に属するかを特定する位置情報を送信データの宛先と予め１つずつ対応させて格納したアドレス帳と、（ニ）前記した地図データ集合体を構成する上位の階層の地図データから１階層ずつ下位の方向に地図データを順に選択して前記したディスプレイに地図を１枚ずつ表示するとき表示した１枚の地図を構成する複数の地域のそれぞれに対応する前記したアドレス帳の宛先の総数を算出する地域別宛先総数算出手段と、（ホ）この地域別宛先総数算出手段によって算出された地域ごとの前記したアドレス帳の宛先の総数が前記したディスプレイの表示との関係で予め定めた設定値を超えているかを判別する地域別設定値超過有無判別手段と、（へ）この地域別設定値超過有無判別手段で前記した設定値を超えていないと判別した地域のそれぞれについては、地域と地域に該当する宛先とを対応付けて前記したディスプレイに表示する設定値内地域表示手段と、（ト）前記した地域別設定値超過有無判別手段で前記した設定値を超えていると判別した地域のそれぞれについては、地域と地域に該当する宛先の総数が設定値を超えていることを対応付けて前記したディスプレイに表示する設定値外地域表示手段と、（チ）前記した設定値内地域表示手段と設定値外地域表示手段の表示したそれぞれの地域を統合する形で１枚の地図が前記したディスプレイに表示されている状態でいずれの１つの地域に送信データの宛先が含まれるかを選択させる地域選択手段と、（リ）この地域選択手段で選択した地域が前記した設定値外地域表示手段によって表示されている地域であるとき、前記した地域選択手段による地域を選択する処理とこれに続く処理を、前記した地域別設定値超過有無判別手段が設定値を超えていないと判別する階層に至るまで繰り返す繰り返し手段と、（ヌ）前記した設定値内地域表示手段によって前記したディスプレイに表示された宛先に関するデータ、あるいは前記した繰り返し手段によって前記したディスプレイに該当する地域に対応して表示される宛先の総数が設定値を超えなくなったとき前記した設定値内地域表示手段によって前記したディスプレイに表示された宛先に関するデータを基にして前記した送信データの宛先を確定する宛先確定手段と、（ル）この宛先確定手段によって確定した宛先に所望の送信データを送信する送信手段とを送信装置が具備する。
【００１９】
更に本発明では、最上位の階層の地図を頂点として階層が下になるほど細分化したツリー構造をとる地図のデータの集合体としての地図データ集合体を構成する上位の階層の地図データから１階層ずつ下位の方向に地図データを順に選択してディスプレイに地図を１枚ずつ表示するとき、表示した１枚の地図を構成する複数の地域のいずれに送信データの宛先が含まれるかを選択させる地域選択ステップと、（ロ）各宛先に位置情報を対応付けたアドレス帳から前記した地域選択ステップによって選択した地域に対応する宛先の総数を前記した位置情報をキーとして算出する宛先総数算出ステップと、（ハ）この宛先総数算出ステップによって算出した宛先の総数が前記したディスプレイの表示との関係で予め定めた設定値を超えているかを判別する設定値超過有無判別ステップと、（ニ）この設定値超過有無判別ステップで前記した設定値を超えていないと判別したときその選択した地域とその地域に該当する宛先とを対応付けて前記したディスプレイに表示する設定値内表示ステップと、（ホ）前記した設定値超過有無判別ステップで前記した設定値を超えていると判別したとき、前記した地域選択ステップによる地域を選択する処理とこれに続く処理を、前記した設定値超過有無判別ステップで設定値を超えていないと判別する階層に至るまで繰り返す繰り返しステップと、（へ）この繰り返しステップによって前記したディスプレイに地域に対応して表示される宛先の総数が設定値を超えなくなったとき前記した設定値内表示ステップによって前記したディスプレイに表示された宛先に関するデータを基にして前記した送信データの宛先を確定する宛先確定ステップとを宛先指定方法が具備する。
【００２０】
更にまた本発明では、（イ）最上位の階層の地図を頂点として階層が下になるほど細分化したツリー構造をとる地図のデータの集合体としての地図データ集合体を構成する上位の階層の地図データから１階層ずつ下位の方向に地図データを順に選択してディスプレイに地図を１枚ずつ表示するとき、表示した１枚の地図を構成する複数の地域のそれぞれに対応させて、各宛先に位置情報を対応付けたアドレス帳から前記した位置情報をキーとしてそれぞれの宛先の総数を算出する地域別宛先総数算出ステップと、（ロ）この地域別宛先総数算出ステップによって算出された地域ごとの前記したアドレス帳の宛先の総数が前記したディスプレイの表示との関係で予め定めた設定値を超えているかを判別する地域別設定値超過有無判別ステップと、（ハ）この地域別設定値超過有無判別ステップで前記した設定値を超えていないと判別した地域のそれぞれについては、地域と地域に該当する宛先とを対応付けて前記したディスプレイに表示する設定値内地域表示ステップと、（ニ）前記した地域別設定値超過有無判別ステップで前記した設定値を超えていると判別した地域のそれぞれについては、地域と地域に該当する宛先の総数が設定値を超えていることを対応付けて前記したディスプレイに表示する設定値外地域表示ステップと、（ホ）前記した設定値内地域表示ステップと設定値外地域表示ステップで表示したそれぞれの地域を統合する形で１枚の地図が前記したディスプレイに表示されている状態でいずれの１つの地域に送信データの宛先が含まれるかを選択させる地域選択ステップと、（へ）この地域選択ステップで選択した地域が前記した設定値外地域表示ステップによって表示されている地域であるとき、前記した地域選択ステップによる地域を選択する処理とこれに続く処理を、前記した地域別設定値超過有無判別ステップで設定値を超えていないと判別する階層に至るまで繰り返す繰り返しステップと、（ト）前記した設定値内地域表示ステップによって前記したディスプレイに表示された宛先に関するデータ、あるいは前記した繰り返しステップによって前記したディスプレイに該当する地域に対応して表示される宛先の総数が設定値を超えなくなったとき前記した設定値内地域表示ステップによって前記したディスプレイに表示された宛先に関するデータを基にして前記した送信データの宛先を確定する宛先確定ステップとを宛先指定方法が具備する。
【００２１】
また、本発明では、コンピュータに、宛先指定プログラムとして、（イ）最上位の階層の地図を頂点として階層が下になるほど細分化したツリー構造をとる地図のデータの集合体としての地図データ集合体を構成する上位の階層の地図データから１階層ずつ下位の方向に地図データを順に選択してディスプレイに地図を１枚ずつ表示するとき、表示した１枚の地図を構成する複数の地域のいずれに送信データの宛先が含まれるかを選択させる地域選択処理と、（ロ）各宛先に位置情報を対応付けたアドレス帳から前記した地域選択処理によって選択した地域に対応する宛先の総数を前記した位置情報をキーとして算出する宛先総数算出処理と、（ハ）この宛先総数算出処理によって算出した宛先の総数が前記したディスプレイの表示との関係で予め定めた設定値を超えているかを判別する設定値超過有無判別処理と、（ニ）この設定値超過有無判別処理で前記した設定値を超えていないと判別したときその選択した地域とその地域に該当する宛先とを対応付けて前記したディスプレイに表示する設定値内表示処理と、（ホ）前記した設定値超過有無判別処理で前記した設定値を超えていると判別したとき、前記した地域選択処理による地域を選択する処理とこれに続く処理を、前記した設定値超過有無判別処理で設定値を超えていないと判別する階層に至るまで繰り返す繰り返し処理と、（へ）この繰り返し処理によって前記したディスプレイに地域に対応して表示される宛先の総数が設定値を超えなくなったとき前記した設定値内表示処理によって前記したディスプレイに表示された宛先に関するデータを基にして前記した送信データの宛先を確定する宛先確定処理とを実行させる。
【００２２】
更に本発明では、コンピュータに、宛先指定プログラムとして、（イ）最上位の階層の地図を頂点として階層が下になるほど細分化したツリー構造をとる地図のデータの集合体としての地図データ集合体を構成する上位の階層の地図データから１階層ずつ下位の方向に地図データを順に選択してディスプレイに地図を１枚ずつ表示するとき、表示した１枚の地図を構成する複数の地域のそれぞれに対応させて、各宛先に位置情報を対応付けたアドレス帳から前記した位置情報をキーとしてそれぞれの宛先の総数を算出する地域別宛先総数算出処理と、（ロ）この地域別宛先総数算出処理によって算出された地域ごとの前記したアドレス帳の宛先の総数が前記したディスプレイの表示との関係で予め定めた設定値を超えているかを判別する地域別設定値超過有無判別処理と、（ハ）この地域別設定値超過有無判別処理で前記した設定値を超えていないと判別した地域のそれぞれについては、地域と地域に該当する宛先とを対応付けて前記したディスプレイに表示する設定値内地域表示処理と、（ニ）前記した地域別設定値超過有無判別処理で前記した設定値を超えていると判別した地域のそれぞれについては、地域と地域に該当する宛先の総数が設定値を超えていることを対応付けて前記したディスプレイに表示する設定値外地域表示処理と、（ホ）前記した設定値内地域表示処理と設定値外地域表示処理で表示したそれぞれの地域を統合する形で１枚の地図が前記したディスプレイに表示されている状態でいずれの１つの地域に送信データの宛先が含まれるかを選択させる地域選択処理と、（へ）この地域選択処理で選択した地域が前記した設定値外地域表示処理によって表示されている地域であるとき、前記した地域選択処理による地域を選択する処理とこれに続く処理を、前記した地域別設定値超過有無判別処理で設定値を超えていないと判別する階層に至るまで繰り返す繰り返し処理と、（ト）前記した設定値内地域表示処理によって前記したディスプレイに表示された宛先に関するデータ、あるいは前記した繰り返し処理によって前記したディスプレイに該当する地域に対応して表示される宛先の総数が設定値を超えなくなったとき前記した設定値内地域表示処理によって前記したディスプレイに表示された宛先に関するデータを基にして前記した送信データの宛先を確定する宛先確定処理とを実行させる。
【発明の効果】
【００２３】
以上説明したように本発明では、地図上にアドレス帳に存在する宛先そのものあるいは宛先の場所を表示するようになっている。したがって、似た名称の会社や紛らわしい名前の人物が同一地域を住所としていたような場合には、地図上にこれらの会社や人物が一緒にあるいは位置的に近接した状態で表示されることになり、データの送信先を間違える危険性を減少させることができる。
【００２４】
また、ある部署にいる人にデータの送信を行いたいというような要請があるような場合には、直ちに送信先の具体的な氏名を思い出さなくても場所に関連して表示される名前から確認をとり、データの送信までの処理を直感的に行うことができるという利点もある。
【００２５】
更に本発明では最上位の階層の地図を頂点として階層が下になるほど細分化したツリー構造をとる地図のデータの集合体を使用するので、アドレス帳に登録している宛先が多いような場合やディスプレイの表示面積が限られているような場合であっても、ディスプレイによる宛先の確認を容易に行うことができる。また、地図に文字等のデータの入力操作を要せずに宛先を特定することができるので、効率的な宛先選択が可能となり、宛先の選択に要する時間の短縮が可能である。
【図面の簡単な説明】
【００２６】
【図１】本発明の送信装置のクレーム対応図である。
【図２】本発明の他の送信装置のクレーム対応図である。
【図３】本発明の宛先指定方法のクレーム対応図である。
【図４】本発明の他の宛先指定方法のクレーム対応図である。
【図５】本発明の宛先指定プログラムのクレーム対応図である。
【図６】本発明の他の宛先指定プログラムのクレーム対応図である。
【図７】本発明の実施の形態による送信装置としてのネットワーク複合機と公衆電話網から構成される通信システムの要部を表わしたシステム構成図である。
【図８】実施の形態のネットワーク複合機の宛先データ部に格納されたアドレス帳の一部を示した説明図である。
【図９】本実施の形態における地図情報を使用したファクシミリの送信処理の一部を表わした流れ図である。
【図１０】本実施の形態における地図情報を使用したファクシミリの送信処理の残りの部分を表わした流れ図である。
【図１１】本実施の形態のネットワーク複合機の表示部に日本地図の全体が表示された状態を表わした平面図である。
【図１２】本実施の形態のネットワーク複合機の表示部に該当する地域がハイライトで表示されると共に該当する件数が表示された例を示した平面図である。
【図１３】ステップＳ３０９による処理でネットワーク複合機の表示部に表示された下位の地図情報を示した平面図である。
【図１４】本実施の形態における「長野県」の登録件数が設定値以上であった場合のネットワーク複合機の表示部の表示の一例を示した平面図である。
【図１５】本実施の形態における「長野県」の更に下位の地図に該当する宛先がネットワーク複合機の表示された状態を表わした平面図である。
【図１６】本実施の形態のネットワーク複合機の送信確認画面の一例を示した平面図である。
【図１７】本実施の形態のネットワーク複合機の登録している宛先が比較的少ない場合における表示画面の表示例を示した平面図である。
【図１８】本実施の形態の第１の変形例におけるアドレス帳の構成の一例を示した説明図である。
【図１９】第１の変形例のネットワーク複合機の表示部にある時点で表示された地図情報を示した平面図である。
【図２０】第１の変形例における「ＡＢＣビル」の地域が選択され、あるいは拡大表示が指示されたときの表示画面の一例を示した平面図である。
【図２１】第１の変形例における「ＡＢＣビル」の２階が選択あるいは拡大指示された場合の表示画面の一例を示した平面図である。
【図２２】本実施の形態の第２の変形例における通信システムの構成を表わしたシステム構成図である。
【図２３】第２の変形例のネットワーク複合機がアドレス帳の登録時に登録先の端末に位置情報を送信する処理を表わした流れ図である。
【図２４】本実施の形態の第３の変形例における通信システムの構成を表わしたシステム構成図である。
【図２５】第３の変形例のネットワーク複合機による地図データおよび緯度経度データの受信処理の様子を表わした流れ図である。
【図２６】第３の変形例の緯度経度データの要求を受信した宛先変換サーバの処理の様子を表わした流れ図である。
【図２７】本発明の関連技術に基づくファクシミリ送信装置の送信指示が行われる際の表示画面の一例を表わした平面図である。
【発明を実施するための形態】
【００２７】
図１は、本発明の送信装置のクレーム対応図を示したものである。本発明の送信装置１０００は、ディスプレイ１００１と、地図データ集合体１００２と、アドレス帳１００３と、地域選択手段１００４と、宛先総数算出手段１００５と、設定値超過有無判別手段１００６と、設定値内表示手段１００７と、繰り返し手段１００８と、宛先確定手段１００９と、送信手段１０１０を備えている。ここで、ディスプレイ１００１は視覚的なデータを表示する。地図データ集合体１００２は、複数の地域の統合された形で前記したディスプレイ１００１に１枚の地図を表わす上位の階層の地図データの１つ下の階層の地図データが前記した複数の地域の１つずつについて更に複数の地域の統合された形となるように構成されており、最上位の階層の地図を頂点として階層が下になるほど細分化したツリー構造をとる。アドレス帳１００３は、地図データ集合体１００２の各階層で表わされる地図のいずれの地域に属するかを特定する位置情報を送信データの宛先と予め１つずつ対応させて格納したものである。地域選択手段１００４は、地図データ集合体１００２を構成する上位の階層の地図データから１階層ずつ下位の方向に地図データを順に選択してディスプレイ１００１に地図を１枚ずつ表示するとき表示した１枚の地図を構成する複数の地域のいずれに送信データの宛先が含まれるかを選択させる。宛先総数算出手段１００５は、地域選択手段１００４によって選択した地域に対応するアドレス帳１００３の宛先の総数を算出する。設定値超過有無判別手段１００６は、宛先総数算出手段１００５によって算出した宛先の総数がディスプレイ１００１の表示との関係で予め定めた設定値を超えているかを判別する。設定値内表示手段１００７は、設定値超過有無判別手段１００６が前記した設定値を超えていないと判別したときその選択した地域とその地域に該当する宛先とを対応付けてディスプレイ１００１に表示する。繰り返し手段１００８は、設定値超過有無判別手段１００６が前記した設定値を超えていると判別したとき、地域選択手段１００４による地域を選択する処理とこれに続く処理を、設定値超過有無判別手段１００６が設定値を超えていないと判別する階層に至るまで繰り返す。宛先確定手段１００９は、繰り返し手段１００８によってディスプレイ１００１に地域に対応して表示される宛先の総数が設定値を超えなくなったとき設定値内表示手段１００７によってディスプレイ１００１に表示された宛先に関するデータを基にして前記した送信データの宛先を確定する。送信手段１０１０は、宛先確定手段１００９によって確定した宛先に所望の送信データを送信する。
【００２８】
図２は、本発明の他の送信装置のクレーム対応図を示したものである。本発明の送信装置１１００は、ディスプレイ１１０１と、地図データ集合体１１０２と、アドレス帳１１０３と、地域別宛先総数算出手段１１０４と、地域別設定値超過有無判別手段１１０５と、設定値内地域表示手段１１０６と、設定値外地域表示手段１１０７と、地域選択手段１１０８と、繰り返し手段１１０９と、宛先確定手段１１１０と、送信手段１１１１を備えている。ここで、ディスプレイ１１０１は、視覚的なデータを表示する。地図データ集合体１１０２は、複数の地域の統合された形でディスプレイ１１０１に１枚の地図を表わす上位の階層の地図データの１つ下の階層の地図データが前記した複数の地域の１つずつについて更に複数の地域の統合された形となるように構成されており、最上位の階層の地図を頂点として階層が下になるほど細分化したツリー構造をとる。アドレス帳１１０３は、地図データ集合体１１０２の各階層で表わされる地図のいずれの地域に属するかを特定する位置情報を送信データの宛先と予め１つずつ対応させて格納したものである。地域別宛先総数算出手段１１０４は、地図データ集合体１１０２を構成する上位の階層の地図データから１階層ずつ下位の方向に地図データを順に選択してディスプレイ１１０１に地図を１枚ずつ表示するとき表示した１枚の地図を構成する複数の地域のそれぞれに対応するアドレス帳１１０３の宛先の総数を算出する。地域別設定値超過有無判別手段１１０５は、地域別宛先総数算出手段１１０４によって算出された地域ごとのアドレス帳１１０３の宛先の総数がディスプレイ１１０１の表示との関係で予め定めた設定値を超えているかを判別する。設定値内地域表示手段１１０６は、地域別設定値超過有無判別手段１１０５で前記した設定値を超えていないと判別した地域のそれぞれについては、地域と地域に該当する宛先とを対応付けてディスプレイ１１０１に表示する。設定値外地域表示手段１１０７は、地域別設定値超過有無判別手段１１０５で前記した設定値を超えていると判別した地域のそれぞれについては、地域と地域に該当する宛先の総数が設定値を超えていることを対応付けてディスプレイ１１０１に表示する。地域選択手段１１０８は、設定値内地域表示手段１１０６と設定値外地域表示手段１１０７の表示したそれぞれの地域を統合する形で１枚の地図がディスプレイ１１０１に表示されている状態でいずれの１つの地域に送信データの宛先が含まれるかを選択させる。繰り返し手段１１０９は、地域選択手段１１０８で選択した地域が設定値外地域表示手段１１０７によって表示されている地域であるとき、地域選択手段１１０８による地域を選択する処理とこれに続く処理を、地域別設定値超過有無判別手段１１０５が設定値を超えていないと判別する階層に至るまで繰り返す。宛先確定手段１１１０は、設定値内地域表示手段１１０６によってディスプレイ１１０１に表示された宛先に関するデータ、あるいは繰り返し手段１１０９によってディスプレイ１１０１に該当する地域に対応して表示される宛先の総数が設定値を超えなくなったとき設定値内地域表示手段１１０６によってディスプレイ１１０１に表示された宛先に関するデータを基にして前記した送信データの宛先を確定する。送信手段１１１１は、宛先確定手段１１１０によって確定した宛先に所望の送信データを送信する。
【００２９】
図３は、本発明の宛先指定方法のクレーム対応図を示したものである。本発明の宛先指定方法１２００は、地域選択ステップ１２０１と、宛先総数算出ステップ１２０２と、設定値超過有無判別ステップ１２０３と、設定値内表示ステップ１２０４と、繰り返しステップ１２０５と、宛先確定ステップ１２０６を備えている。ここで、地域選択ステップ１２０１では、最上位の階層の地図を頂点として階層が下になるほど細分化したツリー構造をとる地図のデータの集合体としての地図データ集合体を構成する上位の階層の地図データから１階層ずつ下位の方向に地図データを順に選択してディスプレイに地図を１枚ずつ表示するとき、表示した１枚の地図を構成する複数の地域のいずれに送信データの宛先が含まれるかを選択させる。宛先総数算出ステップ１２０２では、各宛先に位置情報を対応付けたアドレス帳から地域選択ステップ１２０１によって選択した地域に対応する宛先の総数を前記した位置情報をキーとして算出する。設定値超過有無判別ステップ１２０３では、宛先総数算出ステップ１２０２によって算出した宛先の総数が前記したディスプレイの表示との関係で予め定めた設定値を超えているかを判別する。設定値内表示ステップ１２０４では、設定値超過有無判別ステップ１２０３で前記した設定値を超えていないと判別したときその選択した地域とその地域に該当する宛先とを対応付けて前記したディスプレイに表示する。繰り返しステップ１２０５では、設定値超過有無判別ステップ１２０３で前記した設定値を超えていると判別したとき、地域選択ステップ１２０１による地域を選択する処理とこれに続く処理を、設定値超過有無判別ステップ１２０３で設定値を超えていないと判別する階層に至るまで繰り返す。宛先確定ステップ１２０６では、繰り返しステップ１２０５によって前記したディスプレイに地域に対応して表示される宛先の総数が設定値を超えなくなったとき設定値内表示ステップ１２０４によって前記したディスプレイに表示された宛先に関するデータを基にして前記した送信データの宛先を確定する。
【００３０】
図４は、本発明の他の宛先指定方法のクレーム対応図を示したものである。本発明の宛先指定方法１３００は、地域別宛先総数算出ステップ１３０１と、地域別設定値超過有無判別ステップ１３０２と、設定値内地域表示ステップ１３０３と、設定値外地域表示ステップ１３０４と、地域選択ステップ１３０５と、繰り返しステップ１３０６と、宛先確定ステップ１３０７を備えている。ここで、地域別宛先総数算出ステップ１３０１では、最上位の階層の地図を頂点として階層が下になるほど細分化したツリー構造をとる地図のデータの集合体としての地図データ集合体を構成する上位の階層の地図データから１階層ずつ下位の方向に地図データを順に選択してディスプレイに地図を１枚ずつ表示するとき、表示した１枚の地図を構成する複数の地域のそれぞれに対応させて、各宛先に位置情報を対応付けたアドレス帳から前記した位置情報をキーとしてそれぞれの宛先の総数を算出する。地域別設定値超過有無判別ステップ１３０２では、地域別宛先総数算出ステップ１３０１によって算出された地域ごとの前記したアドレス帳の宛先の総数が前記したディスプレイの表示との関係で予め定めた設定値を超えているかを判別する。設定値内地域表示ステップ１３０３では、地域別設定値超過有無判別ステップ１３０２で前記した設定値を超えていないと判別した地域のそれぞれについては、地域と地域に該当する宛先とを対応付けて前記したディスプレイに表示する。設定値外地域表示ステップ１３０４では、地域別設定値超過有無判別ステップ１３０２で前記した設定値を超えていると判別した地域のそれぞれについては、地域と地域に該当する宛先の総数が設定値を超えていることを対応付けて前記したディスプレイに表示する。地域選択ステップ１３０５では、設定値内地域表示ステップ１３０３と設定値外地域表示ステップ１３０４で表示したそれぞれの地域を統合する形で１枚の地図が前記したディスプレイに表示されている状態でいずれの１つの地域に送信データの宛先が含まれるかを選択させる。繰り返しステップ１３０６では、地域選択ステップ１３０５で選択した地域が設定値外地域表示ステップ１３０４によって表示されている地域であるとき、地域選択ステップ１３０５による地域を選択する処理とこれに続く処理を、地域別設定値超過有無判別ステップ１３０２で設定値を超えていないと判別する階層に至るまで繰り返す。宛先確定ステップ１３０７では、設定値内地域表示ステップ１３０３によって前記したディスプレイに表示された宛先に関するデータ、あるいは繰り返しステップ１３０６によって前記したディスプレイに該当する地域に対応して表示される宛先の総数が設定値を超えなくなったとき設定値内地域表示ステップ１３０３によって前記したディスプレイに表示された宛先に関するデータを基にして前記した送信データの宛先を確定する。
【００３１】
図５は、本発明の宛先指定プログラムのクレーム対応図を示したものである。本発明の宛先指定プログラム１４００は、コンピュータに  とを実行させるようにしている。ここで、地域選択処理１４０１では、最上位の階層の地図を頂点として階層が下になるほど細分化したツリー構造をとる地図のデータの集合体としての地図データ集合体を構成する上位の階層の地図データから１階層ずつ下位の方向に地図データを順に選択してディスプレイに地図を１枚ずつ表示するとき、表示した１枚の地図を構成する複数の地域のいずれに送信データの宛先が含まれるかを選択させる。宛先総数算出処理１４０２では、各宛先に位置情報を対応付けたアドレス帳から地域選択処理１４０１によって選択した地域に対応する宛先の総数を前記した位置情報をキーとして算出する。設定値超過有無判別処理１４０３では、宛先総数算出処理１４０２によって算出した宛先の総数が前記したディスプレイの表示との関係で予め定めた設定値を超えているかを判別する。設定値内表示処理１４０４では、設定値超過有無判別処理１４０３で前記した設定値を超えていないと判別したときその選択した地域とその地域に該当する宛先とを対応付けて前記したディスプレイに表示する。繰り返し処理１４０５では、設定値超過有無判別処理１４０３で前記した設定値を超えていると判別したとき、地域選択処理１４０１による地域を選択する処理とこれに続く処理を、設定値超過有無判別処理１４０３で設定値を超えていないと判別する階層に至るまで繰り返す。宛先確定処理１４０６では、繰り返し処理１４０５によって前記したディスプレイに地域に対応して表示される宛先の総数が設定値を超えなくなったとき設定値内表示処理１４０４によって前記したディスプレイに表示された宛先に関するデータを基にして前記した送信データの宛先を確定する。
【００３２】
図６は、本発明の他の宛先指定プログラムのクレーム対応図を示したものである。本発明の宛先指定プログラム１５００は、地域別宛先総数算出処理１５０１と、地域別設定値超過有無判別処理１５０２と、設定値内地域表示処理１５０３と、設定値外地域表示処理１５０４と、地域選択処理１５０５と、繰り返し処理１５０６、宛先確定処理１５０７を実行させるようにしている。ここで、地域別宛先総数算出処理１５０１では、最上位の階層の地図を頂点として階層が下になるほど細分化したツリー構造をとる地図のデータの集合体としての地図データ集合体を構成する上位の階層の地図データから１階層ずつ下位の方向に地図データを順に選択してディスプレイに地図を１枚ずつ表示するとき、表示した１枚の地図を構成する複数の地域のそれぞれに対応させて、各宛先に位置情報を対応付けたアドレス帳から前記した位置情報をキーとしてそれぞれの宛先の総数を算出する。地域別設定値超過有無判別処理１５０２では、地域別宛先総数算出処理１５０１によって算出された地域ごとの前記したアドレス帳の宛先の総数が前記したディスプレイの表示との関係で予め定めた設定値を超えているかを判別する。設定値内地域表示処理１５０３では、地域別設定値超過有無判別処理１５０２で前記した設定値を超えていないと判別した地域のそれぞれについては、地域と地域に該当する宛先とを対応付けて前記したディスプレイに表示する。設定値外地域表示処理１５０４では、地域別設定値超過有無判別処理１５０２で前記した設定値を超えていると判別した地域のそれぞれについては、地域と地域に該当する宛先の総数が設定値を超えていることを対応付けて前記したディスプレイに表示する。地域選択処理１５０５では、設定値内地域表示処理１５０３と設定値外地域表示処理１５０４で表示したそれぞれの地域を統合する形で１枚の地図が前記したディスプレイに表示されている状態でいずれの１つの地域に送信データの宛先が含まれるかを選択させる。繰り返し処理１５０６では、地域選択処理１５０５で選択した地域が設定値外地域表示処理１５０４によって表示されている地域であるとき、地域選択処理１５０５による地域を選択する処理とこれに続く処理を、地域別設定値超過有無判別処理１５０２で設定値を超えていないと判別する階層に至るまで繰り返す。宛先確定処理１５０７では、設定値内地域表示処理１５０３によって前記したディスプレイに表示された宛先に関するデータ、あるいは繰り返し処理１５０６によって前記したディスプレイに該当する地域に対応して表示される宛先の総数が設定値を超えなくなったとき設定値内地域表示処理１５０３によって前記したディスプレイに表示された宛先に関するデータを基にして前記した送信データの宛先を確定する。
【００３３】
＜発明の実施の形態＞
【００３４】
次に本発明の実施の形態を説明する。
【００３５】
図７は、本発明の実施の形態による送信装置としてのネットワーク複合機と公衆電話網から構成される通信システムの要部を表わしたものである。この通信システム２００で、ネットワーク複合機２０１は、電話回線２０２を通じて公衆電話網２０３と接続されている。したがって、ネットワーク複合機２０１は、公衆電話網２０３を介して図示しない他のネットワーク複合機やファクシミリ装置とデータの送受信を行うことができる。
【００３６】
ネットワーク複合機２０１は、図示しないＣＰＵ（Central Processing Unit）およびこのＣＰＵが実行するプログラムを格納した記憶媒体を備えた制御部２１１を有している。制御部２１１は、次の各部と接続されており、ネットワーク複合機２０１の全体的な制御を行うようになっている。
【００３７】
操作部２１２は、図示しないがタッチパネルや外部キーを備えており、ユーザがネットワーク複合機２０１を操作するのに必要な各種の情報を入力する。読取部２１３は、図示しない原稿台に載置された原稿を、同じく図示しない１次元イメージセンサの走査によって読み取り、画像データを作成するようになっている。ファクシミリ制御部２１４は、読取部２１３から出力される画像データを圧縮してファクシミリ信号として宛先の前記した他のネットワーク複合機やファクシミリ装置に送信する。また、これらネットワーク複合機やファクシミリ装置からファクシミリ信号が送られてきた場合にはこれを受信して伸長し、元の画像データを復元するようになっている。
【００３８】
表示部２１５は、液晶ディスプレイあるいは有機ＥＬ（Organic Electro-Luminescence）等のディスプレイとその駆動回路によって構成されており、ファクシミリ通信を行う際の宛先や地図情報等の各種の情報を表示する。ディスプレイの上には操作部２１２を構成する前記したタッチパネルが載置されている。
【００３９】
メモリ部２１６は各種のデータを記憶するものである。制御部２１１を構成するメモリもその一部を構成するようになっていてもよい。本実施の形態でメモリ部２１６は、画像データ部２１７、宛先データ部２１８および地図データ部２１９を備えている。このうち画像データ部２１７は、表示部２１５に表示する各種の画像データを格納している。宛先データ部２１８は、ネットワーク複合機２０１が登録した宛先の電話番号、メールアドレス等の宛先に関するデータを格納している。合成部２２１は宛先情報および地図情報を合成する。
【００４０】
印刷部２２２は、ネットワーク複合機２０１がファクシミリ信号を受信したときのその受信内容のプリントアウトに使用する他、コピー機としての機能やプリンタとしての機能を実現するために使用される。ネットワーク制御部２２３は、ネットワークを通じての通信制御を行う。ネットワーク複合機２０１よりも構成が簡単なファクシミリ送信機に本発明を適用する場合には、印刷部２２２およびネットワーク制御部２２３を必ずしも必要としないことはもちろんである。
【００４１】
図８は、宛先データ部に格納されたアドレス帳の一部を示したものである。図７と共に説明する。
【００４２】
アドレス帳２３１には、ファクシミリの送信先となる宛先の氏名（名称）、その宛先となるファクシミリ装置の配置された緯度、経度、住所、電話番号（ファクシミリ番号）、メールアドレスおよびユーザの写真が登録されるようになっている。このうち「緯度、経度」と「住所」は、宛先に配置された同一の装置を示す位置情報であり、本来同一の場所を示すものである。したがって、図７に示した操作部２１２から緯度、経度を手入力するか、受信側の装置側からその装置のＧＰＳ（Global Positioning System）情報等の位置情報を取得することによってネットワーク複合機２０１は住所を自動的に入力することができる。
【００４３】
「写真」は必要に応じて登録される。メールアドレスの登録も電子メールで文書等の画像データを宛先に送信する場合以外は不要である。
【００４４】
ところで本実施の形態のネットワーク複合機２０１は、従来通り宛先のファクシミリ番号を選択してファクシミリ送信を開始することができる他、地図情報を使用して宛先を選択し、この宛先にファクシミリ送信を開始することができる。このような送信形態の切替は、図７に示した操作部２１２の図示しない送信選択ボタンを操作することで実現する。宛先のファクシミリ番号を、図８に示したアドレス帳から選択したり、操作者が操作部２１２から直接入力することは従来から広く行われているので、これらの説明は省略する。ここでは、ファクシミリ送信の際の宛先の選択を従来よりも間違いなく行うことのできる地図情報を使用したファクシミリ送信の処理について説明する。
【００４５】
図９および図１０は、地図情報を使用したファクシミリの送信処理を表わしたものである。図７および図８と共に説明する。
【００４６】
操作者は、図示しない原稿をネットワーク複合機２０１にセットすると、操作部２１２を操作して、地図情報を用いた送信処理を選択する（ステップＳ３０１：Ｙ）。前記したように電話番号の直接入力による送信等の他の送信処理も可能である（ステップＳ３０１：Ｎ）。
【００４７】
地図情報を用いた送信処理が選択された場合（ステップＳ３０１：Ｙ）、制御部２１１はファクシミリ通信の対象とする地図（ここでは日本地図）の全体を地図データ部２１９から読み出して、表示部２１５に表示する（ステップＳ３０２）。
【００４８】
図１１は、ネットワーク複合機に日本地図の全体が表示された状態を表わしたものである。表示部２１５には、ファクシミリ送信の宛先となりうる日本を複数の地域に大きく区分けした地図が表示されている。表示部２１５にはタッチパネルが取り付けられているので、操作者が宛先となる地域を押すと、その座標位置を解析しどの地域が押されたかの判別が可能である。
【００４９】
図９に戻って説明を続ける。表示部２１５に日本地図が表示された状態で、操作者は手のマーク２４１（図１１）で示したように宛先の場所を選択する。ここでは一例として、ネットワーク複合機２０１の操作者が、長野に住む友人に旅行の計画表をファクシミリ通信する場合を考える。この場合、操作者は長野県を含む「関東甲信越」地域を選択することになる。
【００５０】
このように該当する地域が選択されると（ステップＳ３０３：Ｙ）、制御部２１１はアドレス帳２３１からこの選択した地域のデータを抽出する（ステップＳ３０４）。制御部２１１は、この抽出したデータの件数が、予め最終選択のために設定した設定値以上であるかを判別する（ステップＳ３０５）。これは、表示部２１５に一度に表示される宛先の数が多いと、その中から１つの宛先を選択する操作が困難となるので、操作者に事前に表示する数の制限内容を設定させることにしたものである。したがって、表示部２１５の画面サイズが大きければ、設定値を比較的大きい数に設定することができる。
【００５１】
本実施の形態では、一例として設定値を「２」〜「５」に設定する。一例としてアドレス帳２３１には、「関東甲信越」地域について宛先が１５０件登録されていたとする。この場合、制御部２１１はステップＳ３０４で抽出した宛先の件数が設定値以上であると判断する（ステップＳ３０５：Ｙ）。そして、ステップＳ３０２で表示した地図の該当する地域である「関東甲信越」地域に該当する件数を表示する（ステップＳ３０６）。
【００５２】
図１２は、表示部に該当する地域がハイライトで表示されると共に、該当する件数が表示された例を示したものである。日本地図の「関東甲信越」地域に人物のアイコン２５１が表示され、該当する宛先が１５０件あることがアイコン２５１の近傍に表示されている。表示部２１５には、地図情報による宛先の選択を続行する指示を行う続行ボタン２５２と、処理を中止する終了ボタン２５３も表示されている。
【００５３】
図９に戻って説明を続ける。操作者が続行ボタン２５２（図１２）を選択すると（ステップＳ３０７：Ｙ）、制御部２１１は表示部２１５（図１２）に現在表示されている地図情報を更に複数の地域に分割した下位の地図情報が用意されているかをチェックする（ステップＳ３０８）。このような複数の地域に分割した下位の地図情報が用意されていれば（Ｙ）、これらの地域を表示部２１５に表示する（ステップＳ３０９）。
【００５４】
下位の地図情報が用意されていない場合には（ステップＳ３０８：Ｎ）、操作を続行することができない。そこでこの場合には（Ｙ）、表示部２１５にエラー表示を行って（ステップＳ３１０）、地図情報を使用した送信処理を終了する（エンド）。もちろん、このような事態が通常の場合に発生しないようにネットワーク複合機２０１のメーカは十分下位の地図情報を用意するはずである。また、ステップＳ３０５で判断した設定値を適正な値に再設定することでもエラーの生じる事態の発生を回避できる場合が多い。
【００５５】
図１３は、この例におけるステップＳ３０９による処理で表示部に表示された下位の地図情報を示したものである。表示部２１５には「関東甲信越」地域を都県に分割した地図が表示されている。この例の場合、操作者は手のマーク２４１で示したように宛先の存在する「長野県」を選択することになる。
【００５６】
図９に戻って説明を続ける。ステップＳ３０９による処理で表示部２１５（図１３）に「関東甲信越」地域の地図が表示された状態で操作者が「長野県」を選択すると（ステップＳ３１１：Ｙ）、制御部２１１は「長野県」のデータをアドレス帳２３１から抽出する（ステップＳ３０４）。制御部２１１はこれを基にアドレス帳２３１における「長野県」の登録件数が設定値以上であるかを判別することになる（ステップＳ３０５）。
【００５７】
図１４は、「長野県」の登録件数が設定値以上であった場合の表示部の表示の一例を示したものである。図８および図９と共に説明する。
【００５８】
アドレス帳２３１における登録件数が設定値以上であった場合には、ハイライト表示が行われた「長野県」に人物のアイコン２５１が表示され、その近傍に該当する宛先が表示される。この場合、操作者は続行ボタン２５２を選択して更に下位の地図情報を表示させるか、終了ボタン２５３を選択することができる。続行ボタン２５２を選択した場合の処理については既に説明したので、これ以上の説明は省略する。
【００５９】
終了ボタン２５３を選択した場合には（ステップＳ３０７：Ｎ、ステップＳ３１２：Ｙ）、地図情報を使用したファクシミリの送信処理が途中で終了することになる（エンド）。続行ボタン２５２も終了ボタン２５３も選択しない状態ではステップＳ３０６の表示処理が継続して行われる（ステップＳ３１２：Ｙ）。
【００６０】
次に図１０を用いてステップＳ３０５の処理で該当件数が設定値未満とされた場合を説明する。ここでは、設定値が「４」に設定されており、「長野県」の登録件数が「２」であった場合を説明する（図９ステップＳ３０５：Ｎ）。
【００６１】
この例の場合、制御部２１１は「長野県」の登録件数が「１」以上であるかを更に判別する（ステップＳ３２１）。「１」以上ではない場合、すなわち登録件数が「０」の場合には（Ｎ）、操作者がファクシミリ通信を行おうとしていた宛先の長野に住む友人のファクシミリ番号はアドレス帳２３１に登録されていなかったことが分かる。そこでこの場合には（Ｎ）、図９のステップＳ３１０に進んで、「電話番号が登録されていないので、直接入力してください。」等のエラー表示が行われて、地図情報を使用したファクシミリの送信処理が途中で終了することになる（エンド）。
【００６２】
「長野県」の登録件数が「１」以上であった場合（ステップＳ３２１：Ｙ）、制御部２１１は「長野県」の該当地域ごとに宛先の氏名または名称を表示部２１５に表示する（ステップＳ３２２）。このとき、表示する内容は設定値未満なので、表示が読みにくくなることはない。
【００６３】
図１５は、「長野県」の更に下位の地図に該当する宛先が表示された状態を表わしたものである。「長野県」の「松本」地域に宛先候補としての「波田太郎」が人物のアイコン２５１と共に表示され、「飯伊」地域には他の宛先候補としての「昼神花子」が同様に人物のアイコン２５１と共に表示されている。
【００６４】
図１０に戻って説明を続ける。このように「長野県」の下位の該当地域ごとに宛先が表示された状態で、制御部２１１はいずれの宛先が選択されるかを待機している（ステップＳ３２３：Ｎ、ステップＳ３２２）。宛先の選択が行われると（ステップＳ３２３：Ｙ）、その宛先に対する送信確認画面が表示される（ステップＳ３２４）。
【００６５】
図１６は、送信確認画面の一例を示したものである。この例の場合には、図１５の表示状態から操作者が「波田太郎」を選択した場合を示している。図７および図８と共に説明する。
【００６６】
表示部２１５の枠線２６１内には制御部２１１がアドレス帳２３１から読み出した「波田太郎」に関するデータが表示される。「波田太郎」の写真２６２もアドレス帳２３１に登録していれば表示される。操作者はこの送信確認画面で宛先の最終確認を行い、ファクシミリの送信を行う場合には送信ボタン２６３を選択することになる。送信をキャンセルする場合にはキャンセルボタン２６４を選択する。
【００６７】
図１０に戻って説明を続ける。送信確認画面が表示された状態で（ステップＳ３２５：Ｎ、ステップＳ３２６：Ｎ、ステップＳ３２４）、送信ボタン２６３（図１６）が選択されると（ステップＳ３２５：Ｙ）、ファクシミリの送信処理が実行されて（ステップＳ３２７）、一連の送信処理が終了する（図９エンド）。操作者がキャンセルボタン２６４を選択した場合には（ステップＳ３２５：Ｎ、ステップＳ３２６：Ｙ）、送信が行われることなく送信処理が終了することになる（図９エンド）。
【００６８】
図１７は、本実施の形態のネットワーク複合機の登録している宛先が比較的少ない場合における表示画面の表示例を示したものである。図７〜図９と共に説明する。
【００６９】
この例のネットワーク複合機２０１は、アドレス帳２３１に登録している日本国内での件数が少ない。このため、表示部２１５に最初に表示した日本全図の段階で該当する件数が設定値未満となっており（ステップＳ３０５：Ｎ、ステップＳ３２１：Ｙ）、それぞれの宛先の氏名が直ちに表示される（ステップＳ３２２）。したがって、このような場合には日本全図を更に複数の地域に分割した下位の地図情報に展開することなく、直ちに送信先を確定する操作を行うことができる（ステップＳ３２５）。
【００７０】
以上説明した本発明の実施の形態によれば、ファクシミリの宛先を地図情報と氏名（名称）の双方からチェックすることができる。しかも、送信の際の最終チェック画面では、他の情報も加えた形で宛先のチェックを行うようにしている。したがって、名前や住所をうろ覚えしていた状態でも、送信先を間違える確率を最小限にすることができる。
【００７１】
しかも本実施の形態では、操作者が宛先の住所をアドレス帳２３１に登録しない場合であっても、宛先のファクシミリ装置がＧＰＳを搭載していれば、その位置情報を使用して正確な住所に変換することができる。
【００７２】
＜実施の形態の第１の変形例＞
【００７３】
図１８は、本実施の形態の第１の変形例におけるアドレス帳の構成の一例を示したものである。この変形例のアドレス帳２３１Ａでは、それぞれの宛先の位置情報が「緯度」と「経度」によって表わされる他に、「高度」によっても表わされるようになっている。すなわち、一例として「波田太郎」の宛先の位置情報は、北緯（Ｎ）３６．２２８０、東経（Ｅ）１３７．９６９０で特定されるだけでなく、高度（Ａ）５９２．０（メートル）という高さに関する情報によっても特定されるようになっている。
【００７４】
図１９は、第１の変形例のネットワーク複合機の表示部に、ある時点で表示された地図情報を示したものである。先の実施の形態で説明したように宛先を特定するための処理は、比較的広域の地図情報を起点として、下位の地図情報に進んでいくことで宛先の絞り込みを行っていく。図１９では、「ＡＢＣビル」と「田中商店」を含む地域まで宛先の地理的な範囲が狭まった状態を表わしている。
【００７５】
この状態で先の実施の形態では、図１３に示すように表示部２１５に地図を示す情報のみが表示されており、個々に分割された地域のうちの１つが選択されるまでは宛先の該当件数や宛先の氏名（名称）は表示されない。本発明の第１の変形例では、分割後の各地域に対する該当件数が直ちに表示されるようになっている。また、図９のステップＳ３０５で設定値未満と判別した地域に対しては、該当する宛先の氏名（名称）をこの段階で表示するようにしている。これにより、操作者が操作部２１３あるいはタッチパネルを操作する回数の減少を図ることができる。
【００７６】
すなわち、操作者は図１９の表示状態から宛先が「田中商店」であることが分かれば、この場所（地域）を選択することで図１６に示したような送信確認画面に直ちに移行させることができる。また、「ＡＢＣビル」の方には該当件数を超える１２件の宛先がアドレス帳２３１に登録されていることが分かる。
【００７７】
ここで「ＡＢＣビル」内の１２件の宛先は、緯度と経度で示す位置情報が実質的に同一である。そこでこの変形例では、ＧＰＳで得られた高度情報あるいはアドレス帳２３１に登録された建物の階数を示す情報を基にして、高さ方向に宛先の細分化を行う。このためには、先の実施の形態と同様に操作者が「ＡＢＣビル」をクリックする等の操作で選択するか、「ＡＢＣビル」の箇所で２本の指の間隔を広げるようにタッチパネルを操作して画像の拡大を指示する。
【００７８】
なお、ＧＰＳで宛先の場所の高度が求められても、これから直ちにビル等の建物の階数を求めることはできない。基準となる１階部分の高さが標高によって異なるからであり、また、各階の床面から天井までの高さや、フロアごとの床下のコンクリートの厚さもまちまちである。
【００７９】
そこで、この変形例では地図データ部２１９（図７）に各地の標高を示すデータを格納しておき、１階のフロア部分の高さを判別できるようにしている。また、超高層ビル等の比較的有名なビルについては、ビルの名称に対応付けて各フロアの高さに関するデータを地図データ部２１９に同様に格納している。また、ビルの名称や高さについては、最新の内容をインターネット等のネットワークで更新できるようになっている。更に操作者が操作部２１２を用いて宛先のビル等の建物の各フロアごとに高さを示す情報を入力するようにしてもよい。
【００８０】
もちろん、アドレス帳２３１に存在する一部の宛先について階数表示が行われていたら、この階数表示をＧＰＳ等によって測定した高度と突き合わせて、同一の建物の他の宛先についても階数を判別することは可能である。また、同一の建物について比較的多くのＧＰＳによる高度情報が得られている場合には、これらの高度情報の離散値の中でほぼ同一の高さとなる値の組を複数通り求め、これらを基にして各フロアの高さを求めることもできる。
【００８１】
図２０は、「ＡＢＣビル」の地域が選択され、あるいは拡大表示が指示されたときの表示画面の一例を示したものである。「ＡＢＣビル」に関する複数の宛先が階数ごとに表示されている。この例の場合にも、図９のステップＳ３０５で設定値未満と判別した地域については、直ちに宛先の氏名（名称）が表示されるようになっている。「ＡＢＣビル」の「５階」に「大森商事」が表示されているのがそれである。
【００８２】
設定値以上とされる階では、それぞれ人物のアイコン２５１の傍に該当する宛先の件数が表示されているのは先の実施の形態と同様である。操作者は、宛先の階数が判別している場合には、その階数を選択するか、その階数の箇所で地図情報の拡大を指示することになる。
【００８３】
図２１は、「ＡＢＣビル」の２階が選択あるいは拡大指示された場合の表示画面の一例を示したものである。ＡＢＣビルの２階の机やファクシミリ装置等の備品の配置状況が表示され、宛先が人物のアイコン２５１で示されている。この例ではファクシミリ装置の１台１台に対応させて宛先が存在するのではなく、宛先の各人物が１台あるいは複数台のファクシミリ装置に対応している。複数台のファクシミリ装置に対応するとは、たとえばある人物が１台の白黒記録用のファクシミリ装置と、１台のカラー記録用のファクシミリ装置と、１台のネットワーク複合機に対応しているというような場合をいう。
【００８４】
図２１に示したような宛先情報を把握することで、操作者は２階フロアの全員にファクシミリで送信した文書を回覧させるようにするときに「佐藤一子」さんを受信とその後の処理担当にした方がよいか、あるいは「渡辺」さんをその役にした方がよいかを考察することができる。もちろん、ファクシミリの文書の宛先を「佐藤一子」さんと「渡辺」さんのいずれかにするかを、それぞれの席からファクシミリ装置の配置された場所までの動線を考慮して装置に自動指定させることも可能である。すなわち、地図情報を基にして宛先を選択する処理を行う場合には、該当する宛先の部署や会社をとりあえず考えて操作を開始し、最終的に宛先となる人物や会社内の人物を操作者あるいはファクシミリ装置等の送信側の装置が特定するといった処理が可能になる。
【００８５】
＜実施の形態の第２の変形例＞
【００８６】
図２２は、本実施の形態の第２の変形例における通信システムの構成を表わしたものである。図２２で図７と同一部分には同一の符号を付しており、これらの説明を適宜省略する。
【００８７】
第２の変形例の通信システム２００Ｂは、ネットワーク複合機２０１とファクシミリ通信を行う相手側のネットワーク複合機２０１Ｂに、位置情報取得機能を備えた携帯電話機４０１を無線で接続した構成となっている。携帯電話機４０１は、複数個（図ではそのうちの１個のみを示す。）のＧＰＳ衛星４０２からの電波を同時に受信するようになっている。
【００８８】
ネットワーク複合機２０１Ｂの構成はネットワーク複合機２０１と同一にすることもできるし、ネットワークに接続する機能を持たない通常のファクシミリ装置とすることもできる。ネットワーク複合機２０１Ｂは、携帯電話機４０１と無線あるいは有線で接続し、現在位置を示す情報をネットワーク複合機２０１に伝達する機能とファクシミリ通信を行う機能を備えるものであれば、どのような装置であってもよい。
【００８９】
携帯電話機、ＰＨＳ（Personal Handyphone System）等の携帯端末４０１は、図示しないＣＰＵや制御プログラムの格納された記憶媒体を備えた制御部４１１を備えている。制御部４１１は、タッチパネルや外部キー等の入力装置を備えた入力部４１２と、液晶ディスプレイ等のディスプレイを備えた表示部４１３と、位置情報を取得するＧＰＳ機能部４１４および通信のためのネットワーク機能部４１５と接続されており、これらの制御を行う。ＧＰＳ機能部４１４はＧＰＳ衛星４０２からの電波を受信し、ネットワーク機能部４１５はネットワーク複合機２０１Ｂのネットワーク制御部２２３と無線で通信を行う。第２の変形例の通信システム２００Ｂでは、ネットワーク機能部４１５およびネットワーク制御部２２３は、赤外線通信装置のような近距離通信を行う機能を備えていれば十分であり、必ずしもＬＡＮ（Local Area Network）のようなネットワークを用いた通信機能を備える必要はない。
【００９０】
図２３は、ネットワーク複合機がアドレス帳の登録時に登録先の端末に位置情報を送信する処理を表わしたものである。ここでは図２２に示したネットワーク複合機２０１Ｂがネットワーク複合機２０１を自身のアドレス帳に登録する際に自身の位置情報をネットワーク複合機２０１に送信する処理について説明する。ここではネットワーク複合機２０１Ｂがネットワーク複合機２０１と同一の構成であるものとし、ネットワーク複合機２０１Ｂの各部については、図２２に示したネットワーク複合機２０１および図８に示したアドレス帳２３１の各部に符号「Ｂ」を付加して説明することにする。図２２と共に説明する。
【００９１】
ネットワーク複合機２０１Ｂの制御部２１１Ｂは、アドレス帳２３１Ｂの新規登録の要求があると（ステップＳ５０１：Ｙ）、その表示部２１５Ｂに新規登録画面を表示する（ステップＳ５０２）。新規登録画面には、アドレス帳２３１Ｂに新たに登録するネットワーク複合機２０１等の利用者の氏名、ファクシミリ番号等の所定の登録事項を入力するようになっている。
【００９２】
ネットワーク複合機２０１Ｂの操作者が入力を完了した旨の指示を操作部２１２Ｂから行うと（ステップＳ５０３：Ｙ）、制御部２１１Ｂは図示しないメモリに自装置の位置情報がすでに登録済みとなっているかをチェックする（ステップＳ５０４）。登録済みとなっていれば（Ｙ）、ネットワーク複合機２０１Ｂの位置情報を新規登録の装置、たとえばネットワーク複合機２０１に送信して（ステップＳ５０５）、一連の処理を終了する（エンド）。
【００９３】
この例の場合、ネットワーク複合機２０１はネットワーク複合機２０１Ｂからその位置情報を受信するので、これを自装置のアドレス帳２３１におけるネットワーク複合機２０１Ｂの位置情報として記憶する。これにより、ネットワーク複合機２０１は地図情報を使用してネットワーク複合機２０１Ｂを宛先に特定することができる。
【００９４】
一方、ステップＳ５０４でネットワーク複合機２０１Ｂにその位置情報が登録されていないことが判別された場合（Ｎ）、制御部２１１Ｂは携帯端末４０１の位置情報を取得するための要求を携帯端末４０１に送出する（ステップＳ５０６）。そして、携帯端末４０１から位置情報が送られてくるのを待機する。ここでネットワーク複合機２０１Ｂの必要な位置情報は自装置それ自体のものである。しかしながら携帯端末４０１はネットワーク複合機２０１Ｂと近距離通信を行うので両者の位置がほぼ同一である。そこで、携帯端末４０１自体の位置情報をネットワーク複合機２０１Ｂの位置情報と見なして使用するのである。
【００９５】
携帯端末４０１から位置情報が受信されたら（ステップＳ５０７：Ｙ）、制御部２１１Ｂは携帯端末４０１の位置情報をネットワーク複合機２０１Ｂの位置情報として登録する（ステップＳ５０８）。そして、この位置情報を新規登録の装置、たとえばネットワーク複合機２０１に送信して（ステップＳ５０５）、一連の処理を終了する（エンド）。
【００９６】
以上説明したように第２の変形例の通信システム２００Ｂによれば、個々のネットワーク複合機２０１ＢがＧＰＳ装置を備えていない場合であっても、ＧＰＳ装置を備えた携帯端末４０１を使用することで自装置の位置情報を取得し宛先のファクシミリ装置に送信することができる。したがって、このネットワーク複合機２０１Ｂから位置情報を受信したネットワーク複合機２０１等の装置は、宛先を手入力する手間から開放される。また、手入力に伴う入力ミスの発生を防止することもできる。
【００９７】
＜実施の形態の第３の変形例＞
【００９８】
図２４は、本実施の形態の第３の変形例における通信システムの構成を表わしたものである。図２４の通信システム２００Ｃでは、ネットワーク複合機２０１Ｃがネットワーク制御部２２３の働きで、電話回線６０１を介してインターネット６０２に接続されるようになっている。また、電話回線６０１には地図情報を格納する地図サーバ６０３と宛先変換サーバ６０４が接続されている。
【００９９】
地図サーバ６０３は、先の実施の形態でも説明したように宛先を細分化するための地図データを格納した地図データ格納部６１１を備えている。宛先変換サーバ６０４は、各地の住所データを緯度および経度で表わした座標に変換する緯度経度座標変換部６１２を備えている。緯度経度座標変換部６１２は各地の建物についてこれらの緯度経度ならびに各フロアの高度を示すデータを備えていてもよい。各フロアの高度の代わりに１階部分の高度とフロア間の高さを示すデータであってもよい。
【０１００】
図２５は、ネットワーク複合機による地図データおよび緯度経度データの受信処理の様子を表わしたものである。図２４と共に説明する。
【０１０１】
この第３の変形例では、ネットワーク複合機２０１Ｃ自体が地図データおよび宛先データについて膨大なデータを格納しておく必要がなく、これらのデータが自装置に存在しない場合には、地図サーバ６０３や宛先変換サーバ６０４を利用することになる。そこでネットワーク複合機２０１Ｃの制御部２１１は地図データが必要とされるか（ステップＳ７０１）と、緯度および経度を示す位置データが必要とされるか（ステップＳ７０２）を監視している。
【０１０２】
地図データが必要とされた場合、制御部２１１Ｃは画像データ部２１７をチェックして自装置にその地図データが存在しないかどうかを判別する（ステップＳ７０３）。その結果、該当する地図データが画像データ部２１７に存在した場合には（Ｎ）、これを取得して（ステップＳ７０４）、処理を再びステップＳ７０１に戻す（リターン）。
【０１０３】
必要な地図データが画像データ部２１７に存在しなかった場合（ステップＳ７０３：Ｙ）、制御部２１１Ｃはその地図データを地図サーバ６０３に要求する（ステップＳ７０５）。そして、地図サーバ６０３からその地図データを受信するか（ステップＳ７０６：Ｙ）、該当する地図データがない旨のエラーを受信する（ステップＳ７０６：Ｎ、ステップＳ７０７：Ｙ）まで待機する。
【０１０４】
地図データを受信した場合には（ステップＳ７０１：Ｎ、ステップＳ７０６：Ｙ）、目的が達成したので処理を再びステップＳ７０１に戻す（リターン）。エラーを受信した場合には（ステップＳ７０６：Ｎ、ステップＳ７０７：Ｙ）、該当する地図データが存在しないことに対応したエラー処理を行って（ステップＳ７０８）、処理を再びステップＳ７０１に戻す（リターン）。
【０１０５】
一方、位置データが必要とされた場合には（ステップＳ７０１：Ｎ、ステップＳ７０２：Ｙ）、その位置データが宛先データ部２１８に存在しないかどうかを判別する（ステップＳ７０９）。その結果、該当する位置データが宛先データ部２１８に存在した場合には（Ｎ）、これを取得して（ステップＳ７１０）、処理を再びステップＳ７０１に戻す（リターン）。
【０１０６】
必要な位置データが宛先データ部２１８に存在しなかった場合（ステップＳ７０９：Ｙ）、制御部２１１Ｃはその位置データとしての緯度経度データを宛先変換サーバ６０４に要求する（ステップＳ７１１）。そして、宛先変換サーバ６０４から緯度経度データを受信するか（ステップＳ７１２：Ｙ）、該当する緯度経度データがない旨のエラーを受信する（ステップＳ７１２：Ｎ、ステップＳ７１３：Ｙ）まで待機する。
【０１０７】
該当する緯度経度データを受信した場合には（ステップＳ７１２：Ｙ）、目的が達成したので処理を再びステップＳ７０１に戻す（リターン）。エラーを受信した場合には（ステップＳ７１２：Ｎ、ステップＳ７１３：Ｙ）、該当する緯度経度データが存在しないことに対応したエラー処理を行って（ステップＳ７１４）、処理を再びステップＳ７０１に戻すことになる（リターン）。
【０１０８】
図２６は、緯度経度データの要求を受信した宛先変換サーバの処理の様子を表わしたものである。図２４と共に説明する。
【０１０９】
宛先変換サーバ６０４はネットワーク複合機２０１Ｃから宛先を緯度経度データに変換する元となるデータを受信したら、これに直接対応する緯度経度データそのものが存在するかをチェックする（ステップＳ７３１）。緯度経度データが存在した場合には（Ｙ）、その移動経度データをネットワーク複合機２０１Ｃに送信して（ステップＳ７３２）、要求した処理を終了する（エンド）。
【０１１０】
受信したデータがＧＰＳ情報で、これに対応する緯度経度情報が存在した場合には（ステップＳ７３１：Ｎ、ステップＳ７３３：Ｙ）、その緯度経度情報をネットワーク複合機２０１Ｃに送信して（ステップＳ７３２）、要求した処理を終了する（エンド）。
【０１１１】
以上と異なり受信したデータが住所情報でこれに対応する緯度経度データが存在した場合には（ステップＳ７３１：Ｎ、ステップＳ７３３：Ｎ、ステップＳ７３４：Ｙ）、その住所情報を緯度経度座標変換部６１２で移動経度データに変換する（ステップＳ７３５）。そして、その移動経度データをネットワーク複合機２０１Ｃに送信して（ステップＳ７３２）、要求した処理を終了する（エンド）。
【０１１２】
受信したデータが建物情報で、これに対応する緯度経度情報が存在した場合には（ステップＳ７３１：Ｎ、ステップＳ７３３：Ｎ、ステップＳ７３４：Ｎ、ステップＳ７３６：Ｙ）、緯度経度座標変換部６１２でその建物の住所の緯度経度データに変換する（ステップＳ７３７）。そして、その移動経度データをネットワーク複合機２０１Ｃに送信して（ステップＳ７３２）、要求した処理を終了する（エンド）。
【０１１３】
以上のいずれにも該当しなかった場合（ステップＳ７３１：Ｎ、ステップＳ７３３：Ｎ、ステップＳ７３４：Ｎ、ステップＳ７３６：Ｎ）、移動経度データに変換することができない。そこでこの場合には移動経度データに変換することができない旨を表わしたエラーをネットワーク複合機２０１Ｃに送信して（ステップＳ７３８）、処理を終了することになる（エンド）。
【０１１４】
以上説明した第３の変形例によれば、ネットワーク複合機２０１Ｃはネットワーク側のサーバのデータベースを利用することができるので、自装置の格納データを最小限にして装置構成のためのコストを節減することができる。また、住居表示が変更されたり建物の新築や名称変更があったような場合にも、サーバ側がこれらの変更に対処するだけでよく、ネットワーク複合機２０１Ｃ等のファクシミリ装置側に特別な負担を要しないという利点がある。
【０１１５】
なお、以上説明した実施の形態およびそれらの変形例ではネットワーク複合機２０１あるいはファクシミリ装置が宛先を特定する場合について説明したが、これに限るものではない。たとえば電子メールの宛先や通話相手の電話番号の特定処理についても同様に本発明を適用することができる。
【０１１６】
また、実施の形態の図１１および図１３では地域の選択を行う段階での地図表示を行ったので、図１２に示したような人物のアイコン２５１は表示されていない。図１１および図１３においても該当する宛先がある地域については前記したように人物のアイコン２５１を表示するようなシステム構成としてもよい。このとき、該当する宛先が少ない地域では該当する氏名（または名称）を表示するようにしてもよいし、該当する宛先が多い地域では総数を表示するようにしてもよい。このように全体的な地図が表示された時点で各地域に人物のアイコン２５１を表示するようにすれば、該当者がいない地域がどこであるかを容易に判別できる利点もある。
【０１１７】
更に実施の形態の図１７では、「佐藤」という名字を有する３名の地域が氏名と共に選択可能に表示されたが、このような表示の前提としてアドレス帳２３１から「佐藤」という名字を有する者を絞り込む操作を行ってもよい。このような表示前の絞り込み操作によって、該当者をより少ないアクションで地図から選択することが可能になる場合が多い。
【０１１８】
以上説明した実施の形態の一部または全部は、以下の付記のようにも記載されるが、以下の記載に限定されるものではない。
【０１１９】
（付記１）
視覚的なデータを表示するディスプレイと、
複数の地域の統合された形で前記ディスプレイに１枚の地図を表わす上位の階層の地図データの１つ下の階層の地図データが前記複数の地域の１つずつについて更に複数の地域の統合された形となるように構成されており、最上位の階層の地図を頂点として階層が下になるほど細分化したツリー構造をとる地図データ集合体と、
この地図データ集合体の各階層で表わされる地図のいずれの地域に属するかを特定する位置情報を送信データの宛先と予め１つずつ対応させて格納したアドレス帳と、
前記地図データ集合体を構成する上位の階層の地図データから１階層ずつ下位の方向に地図データを順に選択して前記ディスプレイに地図を１枚ずつ表示するとき表示した１枚の地図を構成する複数の地域のいずれに送信データの宛先が含まれるかを選択させる地域選択手段と、
この地域選択手段によって選択した地域に対応する前記アドレス帳の宛先の総数を算出する宛先総数算出手段と、
この宛先総数算出手段によって算出した宛先の総数が前記ディスプレイの表示との関係で予め定めた設定値を超えているかを判別する設定値超過有無判別手段と、
この設定値超過有無判別手段が前記設定値を超えていないと判別したときその選択した地域とその地域に該当する宛先とを対応付けて前記ディスプレイに表示する設定値内表示手段と、
前記設定値超過有無判別手段が前記設定値を超えていると判別したとき、前記地域選択手段による地域を選択する処理とこれに続く処理を、前記設定値超過有無判別手段が設定値を超えていないと判別する階層に至るまで繰り返す繰り返し手段と、
この繰り返し手段によって前記ディスプレイに地域に対応して表示される宛先の総数が設定値を超えなくなったとき前記設定値内表示手段によって前記ディスプレイに表示された宛先に関するデータを基にして前記送信データの宛先を確定する宛先確定手段と、
この宛先確定手段によって確定した宛先に所望の送信データを送信する送信手段
とを具備することを特徴とする送信装置。
【０１２０】
（付記２）
視覚的なデータを表示するディスプレイと、
複数の地域の統合された形で前記ディスプレイに１枚の地図を表わす上位の階層の地図データの１つ下の階層の地図データが前記複数の地域の１つずつについて更に複数の地域の統合された形となるように構成されており、最上位の階層の地図を頂点として階層が下になるほど細分化したツリー構造をとる地図データ集合体と、
この地図データ集合体の各階層で表わされる地図のいずれの地域に属するかを特定する位置情報を送信データの宛先と予め１つずつ対応させて格納したアドレス帳と、
前記地図データ集合体を構成する上位の階層の地図データから１階層ずつ下位の方向に地図データを順に選択して前記ディスプレイに地図を１枚ずつ表示するとき表示した１枚の地図を構成する複数の地域のそれぞれに対応する前記アドレス帳の宛先の総数を算出する地域別宛先総数算出手段と、
この地域別宛先総数算出手段によって算出された地域ごとの前記アドレス帳の宛先の総数が前記ディスプレイの表示との関係で予め定めた設定値を超えているかを判別する地域別設定値超過有無判別手段と、
この地域別設定値超過有無判別手段で前記設定値を超えていないと判別した地域のそれぞれについては、地域と地域に該当する宛先とを対応付けて前記ディスプレイに表示する設定値内地域表示手段と、
前記地域別設定値超過有無判別手段で前記設定値を超えていると判別した地域のそれぞれについては、地域と地域に該当する宛先の総数が設定値を超えていることを対応付けて前記ディスプレイに表示する設定値外地域表示手段と、
前記設定値内地域表示手段と設定値外地域表示手段の表示したそれぞれの地域を統合する形で１枚の地図が前記ディスプレイに表示されている状態でいずれの１つの地域に送信データの宛先が含まれるかを選択させる地域選択手段と、
この地域選択手段で選択した地域が前記設定値外地域表示手段によって表示されている地域であるとき、前記地域選択手段による地域を選択する処理とこれに続く処理を、前記地域別設定値超過有無判別手段が設定値を超えていないと判別する階層に至るまで繰り返す繰り返し手段と、
前記設定値内地域表示手段によって前記ディスプレイに表示された宛先に関するデータ、あるいは前記繰り返し手段によって前記ディスプレイに該当する地域に対応して表示される宛先の総数が設定値を超えなくなったとき前記地域別設定値内表示手段によって前記ディスプレイに表示された宛先に関するデータを基にして前記送信データの宛先を確定する宛先確定手段と、
この宛先確定手段によって確定した宛先に所望の送信データを送信する送信手段
とを具備することを特徴とする送信装置。
【０１２１】
（付記３）
前記設定値外地域表示手段は、該当する宛先の総数が設定値を超えている地域にその宛先の総数を数字で表わしたアイコンを表示することを特徴とする付記２記載の送信装置。
【０１２２】
（付記４）
前記宛先確定手段は、ディスプレイ上に表示された１つの宛先を選択する宛先選択手段と、この宛先選択手段の選択した宛先について前記アドレス帳に登録された付加情報を前記ディスプレイに表示して送信データの宛先を最終的に確認する付加データ表示手段とを具備することを特徴とする付記１または付記２記載の送信装置。
【０１２３】
（付記５）
前記付加情報は、宛先の氏名または名称、住所、電話番号、電子メールのアドレス、宛先を特定するイメージ情報の一部または全部を含むことを特徴とする付記４記載の送信装置。
【０１２４】
（付記６）
前記送信手段の送信する送信データはファクシミリデータであることを特徴とする付記１または付記２記載の送信装置。
【０１２５】
（付記７）
前記位置情報は緯度および経度で表示される情報であることを特徴とする付記１または付記２記載の送信装置。
【０１２６】
（付記８）
前記位置情報はＧＰＳ（Global Positioning System）情報として取得したものであることを特徴とする付記７記載の送信装置。
【０１２７】
（付記９）
前記位置情報を前記アドレス帳にキー入力するキー入力装置を具備することを特徴とする付記７記載の送信装置。
【０１２８】
（付記１０）
前記位置情報をネットワークから通信で取得するネットワーク通信手段をを具備することを特徴とする付記７記載の送信装置。
【０１２９】
（付記１１）
前記位置情報を前記ネットワーク通信手段の通信する基地局あるいはアクセスポイントの位置情報として取得することを特徴とする付記１０記載の送信装置。
【０１３０】
（付記１２）
住所あるいは郵便番号から緯度および経度あるいはその逆に変換する変換手段を具備することを特徴とする付記５記載の送信装置。
【０１３１】
（付記１３）
建物の名称および階数から緯度、経度、高度あるいはその逆に変換する変換手段を具備することを特徴とする付記５記載の送信装置。
【０１３２】
（付記１４）
該当する宛先を絞り込むキーワードを入力する絞り込み用キーワード入力手段と、この絞り込み用キーワード入力手段により入力されたキーワードと一致するものをアドレス帳から抽出する抽出手段とを更に具備し、前記宛先総数算出手段は前記抽出手段により抽出された宛先の総数を算出することを特徴とする付記１記載の送信装置。
【０１３３】
（付記１５）
該当する宛先を絞り込むキーワードを入力する絞り込み用キーワード入力手段と、この絞り込み用キーワード入力手段により入力されたキーワードと一致するものをアドレス帳から抽出する抽出手段とを更に具備し、前記地域別宛先総数算出手段は前記抽出手段により抽出された宛先の総数を算出することを特徴とする付記２記載の送信装置。
【０１３４】
（付記１６）
最上位の階層の地図を頂点として階層が下になるほど細分化したツリー構造をとる地図のデータの集合体としての地図データ集合体を構成する上位の階層の地図データから１階層ずつ下位の方向に地図データを順に選択してディスプレイに地図を１枚ずつ表示するとき、表示した１枚の地図を構成する複数の地域のいずれに送信データの宛先が含まれるかを選択させる地域選択ステップと、
各宛先に位置情報を対応付けたアドレス帳から前記地域選択ステップによって選択した地域に対応する宛先の総数を前記位置情報をキーとして算出する宛先総数算出ステップと、
この宛先総数算出ステップによって算出した宛先の総数が前記ディスプレイの表示との関係で予め定めた設定値を超えているかを判別する設定値超過有無判別ステップと、
この設定値超過有無判別ステップで前記設定値を超えていないと判別したときその選択した地域とその地域に該当する宛先とを対応付けて前記ディスプレイに表示する設定値内表示ステップと、
前記設定値超過有無判別ステップで前記設定値を超えていると判別したとき、前記地域選択ステップによる地域を選択する処理とこれに続く処理を、前記設定値超過有無判別ステップで設定値を超えていないと判別する階層に至るまで繰り返す繰り返しステップと、
この繰り返しステップによって前記ディスプレイに地域に対応して表示される宛先の総数が設定値を超えなくなったとき前記設定値内表示ステップによって前記ディスプレイに表示された宛先に関するデータを基にして前記送信データの宛先を確定する宛先確定ステップ
とを具備することを特徴とする宛先指定方法。
【０１３５】
（付記１７）
最上位の階層の地図を頂点として階層が下になるほど細分化したツリー構造をとる地図のデータの集合体としての地図データ集合体を構成する上位の階層の地図データから１階層ずつ下位の方向に地図データを順に選択してディスプレイに地図を１枚ずつ表示するとき、表示した１枚の地図を構成する複数の地域のそれぞれに対応させて、各宛先に位置情報を対応付けたアドレス帳から前記位置情報をキーとしてそれぞれの宛先の総数を算出する地域別宛先総数算出ステップと、
この地域別宛先総数算出ステップによって算出された地域ごとの前記アドレス帳の宛先の総数が前記ディスプレイの表示との関係で予め定めた設定値を超えているかを判別する地域別設定値超過有無判別ステップと、
この地域別設定値超過有無判別ステップで前記設定値を超えていないと判別した地域のそれぞれについては、地域と地域に該当する宛先とを対応付けて前記ディスプレイに表示する設定値内地域表示ステップと、
前記地域別設定値超過有無判別ステップで前記設定値を超えていると判別した地域のそれぞれについては、地域と地域に該当する宛先の総数が設定値を超えていることを対応付けて前記ディスプレイに表示する設定値外地域表示ステップと、
前記設定値内地域表示ステップと設定値外地域表示ステップで表示したそれぞれの地域を統合する形で１枚の地図が前記ディスプレイに表示されている状態でいずれの１つの地域に送信データの宛先が含まれるかを選択させる地域選択ステップと、
この地域選択ステップで選択した地域が前記設定値外地域表示ステップによって表示されている地域であるとき、前記地域選択ステップによる地域を選択する処理とこれに続く処理を、前記地域別設定値超過有無判別ステップで設定値を超えていないと判別する階層に至るまで繰り返す繰り返しステップと、
前記設定値内地域表示ステップによって前記ディスプレイに表示された宛先に関するデータ、あるいは前記繰り返しステップによって前記ディスプレイに該当する地域に対応して表示される宛先の総数が設定値を超えなくなったとき前記地域別設定値内表示ステップによって前記ディスプレイに表示された宛先に関するデータを基にして前記送信データの宛先を確定する宛先確定ステップ
とを具備することを特徴とする宛先指定方法。
【０１３６】
（付記１８）
コンピュータに、
最上位の階層の地図を頂点として階層が下になるほど細分化したツリー構造をとる地図のデータの集合体としての地図データ集合体を構成する上位の階層の地図データから１階層ずつ下位の方向に地図データを順に選択してディスプレイに地図を１枚ずつ表示するとき、表示した１枚の地図を構成する複数の地域のいずれに送信データの宛先が含まれるかを選択させる地域選択処理と、
各宛先に位置情報を対応付けたアドレス帳から前記地域選択処理によって選択した地域に対応する宛先の総数を前記位置情報をキーとして算出する宛先総数算出処理と、
この宛先総数算出処理によって算出した宛先の総数が前記ディスプレイの表示との関係で予め定めた設定値を超えているかを判別する設定値超過有無判別処理と、
この設定値超過有無判別処理で前記設定値を超えていないと判別したときその選択した地域とその地域に該当する宛先とを対応付けて前記ディスプレイに表示する設定値内表示処理と、
前記設定値超過有無判別処理で前記設定値を超えていると判別したとき、前記地域選択処理による地域を選択する処理とこれに続く処理を、前記設定値超過有無判別処理で設定値を超えていないと判別する階層に至るまで繰り返す繰り返し処理と、
この繰り返し処理によって前記ディスプレイに地域に対応して表示される宛先の総数が設定値を超えなくなったとき前記設定値内表示処理によって前記ディスプレイに表示された宛先に関するデータを基にして前記送信データの宛先を確定する宛先確定処理
とを実行させることを特徴とする宛先指定プログラム。
【０１３７】
（付記１９）
コンピュータに、
最上位の階層の地図を頂点として階層が下になるほど細分化したツリー構造をとる地図のデータの集合体としての地図データ集合体を構成する上位の階層の地図データから１階層ずつ下位の方向に地図データを順に選択してディスプレイに地図を１枚ずつ表示するとき、表示した１枚の地図を構成する複数の地域のそれぞれに対応させて、各宛先に位置情報を対応付けたアドレス帳から前記位置情報をキーとしてそれぞれの宛先の総数を算出する地域別宛先総数算出処理と、
この地域別宛先総数算出処理によって算出された地域ごとの前記アドレス帳の宛先の総数が前記ディスプレイの表示との関係で予め定めた設定値を超えているかを判別する地域別設定値超過有無判別処理と、
この地域別設定値超過有無判別処理で前記設定値を超えていないと判別した地域のそれぞれについては、地域と地域に該当する宛先とを対応付けて前記ディスプレイに表示する設定値内地域表示処理と、
前記地域別設定値超過有無判別処理で前記設定値を超えていると判別した地域のそれぞれについては、地域と地域に該当する宛先の総数が設定値を超えていることを対応付けて前記ディスプレイに表示する設定値外地域表示処理と、
前記設定値内地域表示処理と設定値外地域表示処理で表示したそれぞれの地域を統合する形で１枚の地図が前記ディスプレイに表示されている状態でいずれの１つの地域に送信データの宛先が含まれるかを選択させる地域選択処理と、
この地域選択処理で選択した地域が前記設定値外地域表示処理によって表示されている地域であるとき、前記地域選択処理による地域を選択する処理とこれに続く処理を、前記地域別設定値超過有無判別処理で設定値を超えていないと判別する階層に至るまで繰り返す繰り返し処理と、
前記設定値内地域表示処理によって前記ディスプレイに表示された宛先に関するデータ、あるいは前記繰り返し処理によって前記ディスプレイに該当する地域に対応して表示される宛先の総数が設定値を超えなくなったとき前記設定値内地域表示処理によって前記ディスプレイに表示された宛先に関するデータを基にして前記送信データの宛先を確定する宛先確定処理
とを実行させることを特徴とする宛先指定プログラム。
【産業上の利用可能性】
【０１３８】
以上説明したように本発明は、ネットワーク複合機によるファクシミリ画像の送信に限定されるものではない。携帯電話機等の機器からの電子メールの送信、インターネットを利用した特定のウエブサイトへの送信といったように、本発明は宛先を選択して各種データの送信を行うあらゆる送信装置、宛先指定方法、宛先指定プログラムに適用可能である。
【符号の説明】
【０１３９】
２００、２００Ｂ、２００Ｃ  通信システム
２０１、２０１Ｂ、２０１Ｃ  ネットワーク複合機
２０２、６０１  電話回線
２０３  公衆電話網
２１１、４１１  制御部
２１２  操作部
２１４  ファクシミリ制御部
２１５、４１３  表示部
２１６  メモリ部
２１７  画像データ部
２１８  宛先データ部
２１９  地図データ部
２２１  合成部
２２３  ネットワーク制御部
２５１  人物のアイコン
４０１  携帯電話機
４０２  ＧＰＳ衛星
４１２  入力部
４１４  ＧＰＳ機能部
４１５  ネットワーク機能部
６０２  インターネット
６０３  地図サーバ
６０４  宛先変換サーバ
６１１  地図データ格納部
６１２  緯度経度座標変換部
１０００、１１００  送信装置
１００１、１１０１  ディスプレイ
１００２、１１０２  地図データ集合体
１００３、１１０３、２３１、２３１Ａ  アドレス帳
１００４、１１０８  地域選択手段
１００５  宛先総数算出手段
１００６  設定値超過有無判別手段
１００７  設定値内表示手段
１００８、１１０９  繰り返し手段
１００９、１１１０  宛先確定手段
１０１０、１１１１  送信手段
１１０４  地域別宛先総数算出手段
１１０５  地域別設定値超過有無判別手段
１１０６  設定値内地域表示手段
１１０７  設定値外地域表示手段
１２００、１３００  宛先指定方法
１２０１、１３０５  地域選択ステップ
１２０２  宛先総数算出ステップ
１２０３  設定値超過有無判別ステップ
１２０４  設定値内表示ステップ
１２０５、１３０６  繰り返しステップ
１２０６、１３０７  宛先確定ステップ
１３０１  地域別宛先総数算出ステップ
１３０２  地域別設定値超過有無判別ステップ
１３０３  設定値内地域表示ステップ
１３０４  設定値外地域表示ステップ
１４００、１５００  宛先指定プログラム
１４０１、１５０５  地域選択処理
１４０２  宛先総数算出処理
１４０３  設定値超過有無判別処理
１４０４  設定値内表示処理
１４０５、１５０６  繰り返し処理
１４０６、１５０７  宛先確定処理
１５０１  地域別宛先総数算出処理
１５０２  地域別設定値超過有無判別処理
１５０３  設定値内地域表示処理
１５０４  設定値外地域表示処理
【図１】
0005833393.tif 000002
【図２】
0005833393.tif 000003
【図３】
0005833393.tif 000004
【図４】
0005833393.tif 000005
【図５】
0005833393.tif 000006
【図６】
0005833393.tif 000007
【図７】
0005833393.tif 000008
【図８】
0005833393.tif 000009
【図９】
0005833393.tif 000010
【図１０】
0005833393.tif 000011
【図１１】
0005833393.tif 000012
【図１２】
0005833393.tif 000013
【図１３】
0005833393.tif 000014
【図１４】
0005833393.tif 000015
【図１５】
0005833393.tif 000016
【図１６】
0005833393.tif 000017
【図１７】
0005833393.tif 000018
【図１８】
0005833393.tif 000019
【図１９】
0005833393.tif 000020
【図２０】
0005833393.tif 000021
【図２１】
0005833393.tif 000022
【図２２】
0005833393.tif 000023
【図２３】
0005833393.tif 000024
【図２４】
0005833393.tif 000025
【図２５】
0005833393.tif 000026
【図２６】
0005833393.tif 000027
【図２７】
0005833393.tif 000028